(57)【要約】  ワイヤレス通信のための方法、基地局（ＢＳ）、ユーザ機器（ＵＥ）、装置、およびコンピュータプログラム製品が提供される。ＢＳおよびＵＥは、狭帯域モノのインターネット（ＮＢ−ＩｏＴ）通信システムを用いて通信してよい。しかし、非アンカーキャリア上のＳＩＢ１−ＮＢの送信に関連する周波数、時間、および／または電力は、ＮＢ−ＩｏＴに対して構成されない場合がある。いくつかの態様では、ＢＳは、ＮＢ−ＩｏＴにおける送信のために時間領域位置パラメータ、周波数領域位置パラメータ、反復の量、電力ブーストパラメータなどのパラメータを決定してよい。いくつかの態様では、ＵＥは、ランダムアクセスチャネルメッセージとは異なるキャリア上で接続要求メッセージを送信することを決定してよい。
2021503774.tif 000002
【特許請求の範囲】
【請求項１】
ワイヤレス通信の方法であって、
基地局によって、非アンカーキャリアまたはアンカーキャリアのための、周波数領域位置パラメータまたは時間領域位置パラメータを識別するインジケータを含むマスタ情報ブロックメッセージを送信することと、
前記基地局によっておよび前記非アンカーキャリアまたは前記アンカーキャリアを用いて、前記周波数領域位置パラメータまたは前記時間領域位置パラメータに従って、システム情報ブロックタイプ１（ＳＩＢ１）メッセージをユーザ機器に送信することと
を備える方法。
【請求項２】
前記ＳＩＢ１メッセージは、前記非アンカーキャリアの交互の無線フレームのサブフレーム０およびサブフレーム５内で送信される、請求項１に記載の方法。
【請求項３】
前記ＳＩＢ１メッセージは、前記アンカーキャリアの交互の無線フレームのサブフレーム０内で送信される、請求項１に記載の方法。
【請求項４】
前記周波数領域位置パラメータは、中心周波数に対する物理リソースブロックオフセットを識別し、
前記アンカーキャリアは、前記物理リソースブロックオフセットだけ前記中心周波数よりも大きい第１の周波数範囲内にあり、および前記非アンカーキャリアは、前記物理リソースブロックオフセットだけ前記中心周波数よりも小さい第２の周波数範囲内にあり、または
前記非アンカーキャリアは、前記物理リソースブロックオフセットだけ前記中心周波数よりも大きい前記第１の周波数範囲内にあり、および前記アンカーキャリアは、前記物理リソースブロックオフセットだけ前記中心周波数よりも小さい前記第２の周波数範囲内にある、
請求項１に記載の方法。
【請求項５】
前記非アンカーキャリアは、リソースブロックグループのうちの、少なくとも１つの第１の物理リソースブロック内にあり、
前記非アンカーキャリアは、前記リソースブロックグループのうちの、少なくとも１つの第２の物理リソースブロック内にあり、前記少なくとも１つの第２の物理リソースブロックは、前記少なくとも１つの第１の物理リソースブロックと前記少なくとも１つの第２の物理リソースブロックとの間に、前記リソースブロックグループのうちの１つまたは複数の物理リソースブロックなしに、前記少なくとも１つの第１の物理リソースブロックに隣接する、
請求項１に記載の方法。
【請求項６】
前記非アンカーキャリアおよび前記アンカーキャリアは、共通のガードバンドに関連する、請求項５に記載の方法。
【請求項７】
前記少なくとも１つの第２の物理リソースブロックは、帯域内物理リソースブロックである、請求項５に記載の方法。
【請求項８】
前記非アンカーキャリアは第１のガードバンド内にあり、前記アンカーキャリアは前記第１のガードバンドとは異なる第２のガードバンド内にある、請求項１に記載の方法。
【請求項９】
前記インジケータに対するサイズまたは値は、展開モードに少なくとも部分的に基づき、
前記展開モードは、
帯域内展開モード、
ガードバンド展開モード、または
スタンドアロン展開モード
のうちの少なくとも１つである、請求項１に記載の方法。
【請求項１０】
前記周波数領域位置パラメータまたは前記時間領域位置パラメータは、前記アンカーキャリアを基準にしてリソースブロックオフセットを識別するオフセットインジケータに少なくとも部分的に基づく、請求項１に記載の方法。
【請求項１１】
前記オフセットインジケータは、リソースブロックグループに少なくとも部分的に基づき、
前記アンカーキャリアおよび前記非アンカーキャリアは、前記リソースブロックグループのうちのリソースブロック内にある、
請求項１０に記載の方法。
【請求項１２】
前記非アンカーキャリアに対する周波数領域位置は、中心周波数を基準にして、前記アンカーキャリアの周波数領域位置と反対側にある、請求項１に記載の方法。
【請求項１３】
前記ＳＩＢ１メッセージのためのサブフレームまたはフレームは、セル識別子または反復構成に少なくとも部分的に基づいて決定される、請求項１に記載の方法。
【請求項１４】
ワイヤレス通信の方法であって、
ユーザ機器によって、ランダムアクセスのための時分割複信ネットワーク内の、複数のキャリアのうちの、第１のキャリアを用いてランダムアクセスチャネルを送信することと、
前記ユーザ機器によって、前記第１のキャリアとは異なる、前記複数のキャリアのうちの、第２のキャリアを用いて接続要求メッセージを送信することと
を備える方法。
【請求項１５】
前記複数のキャリアは、ランダムアクセスチャネルメッセージのために用いられる少なくとも１つのアンカーキャリアと、少なくとも１つの非アンカーキャリアとを含む、請求項１４に記載の方法。
【請求項１６】
前記接続要求メッセージのための前記第２のキャリアは、ランダムアクセス応答メッセージからのキャリア選択インジケータに少なくとも部分的に基づく、請求項１４に記載の方法。
【請求項１７】
前記接続要求メッセージのための前記第２のキャリアは、所定の情報または受信されたシステム情報ブロックメッセージに少なくとも部分的に基づく、請求項１４に記載の方法。
【請求項１８】
前記接続要求メッセージのための前記第２のキャリアは、ランダムアクセスチャネルサブキャリアの量と、前記接続要求メッセージに関連する送信帯域幅とに少なくとも部分的に基づく、請求項１４に記載の方法。
【請求項１９】
前記接続要求メッセージおよびランダムアクセスチャネルメッセージは、前記複数のキャリアのうちの共通のキャリアを用いて送信される、請求項１４に記載の方法。
【請求項２０】
前記接続要求メッセージは、ランダムアクセスチャネルリソースと重なり合わない次に利用可能なサブフレームを用いて送信される、請求項１９に記載の方法。
【請求項２１】
ワイヤレス通信のための基地局であって、
メモリと、前記メモリに動作可能に結合された１つまたは複数のプロセッサとを備え、前記メモリおよび前記１つまたは複数のプロセッサは、
非アンカーキャリアまたはアンカーキャリアのための、周波数領域位置パラメータまたは時間領域位置パラメータを識別するインジケータを含むマスタ情報ブロックメッセージを送信することと、
前記非アンカーキャリアまたは前記アンカーキャリアを用いて、前記周波数領域位置パラメータまたは前記時間領域位置パラメータに従って、システム情報ブロックタイプ１（ＳＩＢ１）メッセージをユーザ機器に送信することと
を行うように構成される基地局。
【請求項２２】
前記ＳＩＢ１メッセージは、前記非アンカーキャリアの交互の無線フレームのサブフレーム０およびサブフレーム５内で送信される、請求項２１に記載の基地局。
【請求項２３】
前記ＳＩＢ１メッセージは、前記アンカーキャリアの交互の無線フレームのサブフレーム０内で送信される、請求項２１に記載の基地局。
【請求項２４】
前記周波数領域位置パラメータは、中心周波数に対する物理リソースブロックオフセットを識別し、
前記アンカーキャリアは、前記物理リソースブロックオフセットだけ前記中心周波数よりも大きい第１の周波数範囲内にあり、および前記非アンカーキャリアは、前記物理リソースブロックオフセットだけ前記中心周波数よりも小さい第２の周波数範囲内にあり、または
前記非アンカーキャリアは、前記物理リソースブロックオフセットだけ前記中心周波数よりも大きい前記第１の周波数範囲内にあり、および前記アンカーキャリアは、前記物理リソースブロックオフセットだけ前記中心周波数よりも小さい前記第２の周波数範囲内にある、
請求項２１に記載の基地局。
【請求項２５】
前記非アンカーキャリアは、リソースブロックグループのうちの、少なくとも１つの第１の物理リソースブロック内にあり、
前記非アンカーキャリアは、前記リソースブロックグループのうちの、少なくとも１つの第２の物理リソースブロック内にあり、前記少なくとも１つの第２の物理リソースブロックは、前記少なくとも１つの第１の物理リソースブロックと前記少なくとも１つの第２の物理リソースブロックとの間に、前記リソースブロックグループのうちの１つまたは複数の物理リソースブロックなしに、前記少なくとも１つの第１の物理リソースブロックに隣接する、
請求項２１に記載の基地局。
【請求項２６】
前記非アンカーキャリアおよび前記アンカーキャリアは、共通のガードバンドに関連する、請求項２５に記載の基地局。
【請求項２７】
前記少なくとも１つの第２の物理リソースブロックは、帯域内物理リソースブロックである、請求項２５に記載の基地局。
【請求項２８】
前記非アンカーキャリアは第１のガードバンド内にあり、前記アンカーキャリアは前記第１のガードバンドとは異なる第２のガードバンド内にある、請求項２１に記載の基地局。
【請求項２９】
前記インジケータに対するサイズまたは値は、展開モードに少なくとも部分的に基づき、
前記展開モードは、
帯域内展開モード、
ガードバンド展開モード、または
スタンドアロン展開モード
のうちの少なくとも１つである、請求項２１に記載の基地局。
【請求項３０】
前記周波数領域位置パラメータまたは前記時間領域位置パラメータは、前記アンカーキャリアを基準にしてリソースブロックオフセットを識別するオフセットインジケータに少なくとも部分的に基づく、請求項２１に記載の基地局。
【請求項３１】
前記オフセットインジケータは、リソースブロックグループに少なくとも部分的に基づき、
前記アンカーキャリアおよび前記非アンカーキャリアは、前記リソースブロックグループのうちのリソースブロック内にある、
請求項３０に記載の基地局。
【請求項３２】
前記非アンカーキャリアに対する周波数領域位置は、中心周波数を基準にして、前記アンカーキャリアの周波数領域位置と反対側にある、請求項２１に記載の基地局。
【請求項３３】
前記ＳＩＢ１メッセージのためのサブフレームまたはフレームは、セル識別子または反復構成に少なくとも部分的に基づいて決定される、請求項２１に記載の基地局。
【請求項３４】
ワイヤレス通信のためのユーザ機器であって、
メモリと、前記メモリに動作可能に結合された１つまたは複数のプロセッサとを備え、前記メモリおよび前記１つまたは複数のプロセッサは、
ランダムアクセスのための時分割複信ネットワーク内の、複数のキャリアのうちの、第１のキャリアを用いてランダムアクセスチャネルを送信することと、
前記第１のキャリアとは異なる、前記複数のキャリアのうちの、第２のキャリアを用いて接続要求メッセージを送信することと
を行うように構成されるユーザ機器。
【請求項３５】
前記複数のキャリアは、ランダムアクセスチャネルメッセージのために用いられる少なくとも１つのアンカーキャリアと、少なくとも１つの非アンカーキャリアとを含む、請求項３４に記載のユーザ機器。
【請求項３６】
前記接続要求メッセージのための前記第２のキャリアは、ランダムアクセス応答メッセージからのキャリア選択インジケータに少なくとも部分的に基づく、請求項３４に記載のユーザ機器。
【請求項３７】
前記接続要求メッセージのための前記第２のキャリアは、所定の情報または受信されたシステム情報ブロックメッセージに少なくとも部分的に基づく、請求項３４に記載のユーザ機器。
【請求項３８】
前記接続要求メッセージのための前記第２のキャリアは、ランダムアクセスチャネルサブキャリアの量と、前記接続要求メッセージに関連する送信帯域幅とに少なくとも部分的に基づく、請求項３４に記載のユーザ機器。
【請求項３９】
前記接続要求メッセージおよびランダムアクセスチャネルメッセージは、前記複数のキャリアのうちの共通のキャリアを用いて送信される、請求項３４に記載のユーザ機器。
【請求項４０】
前記接続要求メッセージは、ランダムアクセスチャネルリソースと重なり合わない次に利用可能なサブフレームを用いて送信される、請求項３９に記載のユーザ機器。
【請求項４１】
ワイヤレス通信のための１つまたは複数の命令を記憶する非一時的コンピュータ可読媒体であって、前記１つまたは複数の命令は、
基地局の１つまたは複数のプロセッサによって実行されたとき、前記１つまたは複数のプロセッサに、
非アンカーキャリアまたはアンカーキャリアのための、周波数領域位置パラメータまたは時間領域位置パラメータを識別するインジケータを含むマスタ情報ブロックメッセージを送信することと、
前記非アンカーキャリアまたは前記アンカーキャリアを用いて、前記周波数領域位置パラメータまたは前記時間領域位置パラメータに従って、システム情報ブロックタイプ１（ＳＩＢ１）メッセージをユーザ機器に送信することと
を行わせる１つまたは複数の命令を備える非一時的コンピュータ可読媒体。
【請求項４２】
前記ＳＩＢ１メッセージは、前記非アンカーキャリアの交互の無線フレームのサブフレーム０およびサブフレーム５内で送信される、請求項４１に記載の非一時的コンピュータ可読媒体。
【請求項４３】
前記ＳＩＢ１メッセージは、前記アンカーキャリアの交互の無線フレームのサブフレーム０内で送信される、請求項４１に記載の非一時的コンピュータ可読媒体。
【請求項４４】
前記周波数領域位置パラメータは、中心周波数に対する物理リソースブロックオフセットを識別し、
前記アンカーキャリアは、前記物理リソースブロックオフセットだけ前記中心周波数よりも大きい第１の周波数範囲内にあり、および前記非アンカーキャリアは、前記物理リソースブロックオフセットだけ前記中心周波数よりも小さい第２の周波数範囲内にあり、または
前記非アンカーキャリアは、前記物理リソースブロックオフセットだけ前記中心周波数よりも大きい前記第１の周波数範囲内にあり、および前記アンカーキャリアは、前記物理リソースブロックオフセットだけ前記中心周波数よりも小さい前記第２の周波数範囲内にある、
請求項４１に記載の非一時的コンピュータ可読媒体。
【請求項４５】
前記非アンカーキャリアは、リソースブロックグループのうちの、少なくとも１つの第１の物理リソースブロック内にあり、
前記非アンカーキャリアは、前記リソースブロックグループのうちの、少なくとも１つの第２の物理リソースブロック内にあり、前記少なくとも１つの第２の物理リソースブロックは、前記少なくとも１つの第１の物理リソースブロックと前記少なくとも１つの第２の物理リソースブロックとの間に、前記リソースブロックグループのうちの１つまたは複数の物理リソースブロックなしに、前記少なくとも１つの第１の物理リソースブロックに隣接する、
請求項４１に記載の非一時的コンピュータ可読媒体。
【請求項４６】
前記非アンカーキャリアおよび前記アンカーキャリアは、共通のガードバンドに関連する、請求項４５に記載の非一時的コンピュータ可読媒体。
【請求項４７】
前記少なくとも１つの第２の物理リソースブロックは、帯域内物理リソースブロックである、請求項４５に記載の非一時的コンピュータ可読媒体。
【請求項４８】
前記非アンカーキャリアは第１のガードバンド内にあり、前記アンカーキャリアは前記第１のガードバンドとは異なる第２のガードバンド内にある、請求項４１に記載の非一時的コンピュータ可読媒体。
【請求項４９】
前記インジケータに対するサイズまたは値は、展開モードに少なくとも部分的に基づき、
前記展開モードは、
帯域内展開モード、
ガードバンド展開モード、または
スタンドアロン展開モード
のうちの少なくとも１つである、請求項４１に記載の非一時的コンピュータ可読媒体。
【請求項５０】
前記周波数領域位置パラメータまたは前記時間領域位置パラメータは、前記アンカーキャリアを基準にしてリソースブロックオフセットを識別するオフセットインジケータに少なくとも部分的に基づく、請求項４１に記載の非一時的コンピュータ可読媒体。
【請求項５１】
前記オフセットインジケータは、リソースブロックグループに少なくとも部分的に基づき、
前記アンカーキャリアおよび前記非アンカーキャリアは、前記リソースブロックグループのうちのリソースブロック内にある、
請求項５０に記載の非一時的コンピュータ可読媒体。
【請求項５２】
前記非アンカーキャリアに対する周波数領域位置は、中心周波数を基準にして、前記アンカーキャリアの周波数領域位置と反対側にある、請求項４１に記載の非一時的コンピュータ可読媒体。
【請求項５３】
前記ＳＩＢ１メッセージのためのサブフレームまたはフレームは、セル識別子または反復構成に少なくとも部分的に基づいて決定される、請求項４１に記載の非一時的コンピュータ可読媒体。
【請求項５４】
ワイヤレス通信のための１つまたは複数の命令を記憶する非一時的コンピュータ可読媒体であって、前記１つまたは複数の命令は、
ユーザ機器の１つまたは複数のプロセッサによって実行されたとき、前記１つまたは複数のプロセッサに、
ランダムアクセスのための時分割複信ネットワーク内の、複数のキャリアのうちの、第１のキャリアを用いてランダムアクセスチャネルを送信することと、
前記第１のキャリアとは異なる、前記複数のキャリアのうちの、第２のキャリアを用いて接続要求メッセージを送信することと
を行わせる１つまたは複数の命令を備える非一時的コンピュータ可読媒体。
【請求項５５】
前記複数のキャリアは、ランダムアクセスチャネルメッセージのために用いられる少なくとも１つのアンカーキャリアと、少なくとも１つの非アンカーキャリアとを含む、請求項５４に記載の非一時的コンピュータ可読媒体。
【請求項５６】
前記接続要求メッセージのための前記第２のキャリアは、ランダムアクセス応答メッセージからのキャリア選択インジケータに少なくとも部分的に基づく、請求項５４に記載の非一時的コンピュータ可読媒体。
【請求項５７】
前記接続要求メッセージのための前記第２のキャリアは、所定の情報または受信されたシステム情報ブロックメッセージに少なくとも部分的に基づく、請求項５４に記載の非一時的コンピュータ可読媒体。
【請求項５８】
前記接続要求メッセージのための前記第２のキャリアは、ランダムアクセスチャネルサブキャリアの量と、前記接続要求メッセージに関連する送信帯域幅とに少なくとも部分的に基づく、請求項５４に記載の非一時的コンピュータ可読媒体。
【請求項５９】
前記接続要求メッセージおよびランダムアクセスチャネルメッセージは、前記複数のキャリアのうちの共通のキャリアを用いて送信される、請求項５４に記載の非一時的コンピュータ可読媒体。
【請求項６０】
前記接続要求メッセージは、ランダムアクセスチャネルリソースと重なり合わない次に利用可能なサブフレームを用いて送信される、請求項５９に記載の非一時的コンピュータ可読媒体。
【請求項６１】
ワイヤレス通信のための装置であって、
非アンカーキャリアまたはアンカーキャリアのための、周波数領域位置パラメータまたは時間領域位置パラメータを識別するインジケータを含むマスタ情報ブロックメッセージを送信するための手段と、
前記非アンカーキャリアまたは前記アンカーキャリアを用いて、前記周波数領域位置パラメータまたは前記時間領域位置パラメータに従って、システム情報ブロックタイプ１（ＳＩＢ１）メッセージをユーザ機器に送信するための手段と
を備える装置。
【請求項６２】
前記ＳＩＢ１メッセージは、前記非アンカーキャリアの交互の無線フレームのサブフレーム０およびサブフレーム５内で送信される、請求項６１に記載の装置。
【請求項６３】
前記ＳＩＢ１メッセージは、前記アンカーキャリアの交互の無線フレームのサブフレーム０内で送信される、請求項６１に記載の装置。
【請求項６４】
前記周波数領域位置パラメータは、中心周波数に対する物理リソースブロックオフセットを識別し、
前記アンカーキャリアは、前記物理リソースブロックオフセットだけ前記中心周波数よりも大きい第１の周波数範囲内にあり、および前記非アンカーキャリアは、前記物理リソースブロックオフセットだけ前記中心周波数よりも小さい第２の周波数範囲内にあり、または
前記非アンカーキャリアは、前記物理リソースブロックオフセットだけ前記中心周波数よりも大きい前記第１の周波数範囲内にあり、および前記アンカーキャリアは、前記物理リソースブロックオフセットだけ前記中心周波数よりも小さい前記第２の周波数範囲内にある、
請求項６１に記載の装置。
【請求項６５】
前記非アンカーキャリアは、リソースブロックグループのうちの、少なくとも１つの第１の物理リソースブロック内にあり、
前記非アンカーキャリアは、前記リソースブロックグループのうちの、少なくとも１つの第２の物理リソースブロック内にあり、前記少なくとも１つの第２の物理リソースブロックは、前記少なくとも１つの第１の物理リソースブロックと前記少なくとも１つの第２の物理リソースブロックとの間に、前記リソースブロックグループのうちの１つまたは複数の物理リソースブロックなしに、前記少なくとも１つの第１の物理リソースブロックに隣接する、
請求項６１に記載の装置。
【請求項６６】
前記非アンカーキャリアおよび前記アンカーキャリアは、共通のガードバンドに関連する、請求項６５に記載の装置。
【請求項６７】
前記少なくとも１つの第２の物理リソースブロックは、帯域内物理リソースブロックである、請求項６５に記載の装置。
【請求項６８】
前記非アンカーキャリアは第１のガードバンド内にあり、前記アンカーキャリアは前記第１のガードバンドとは異なる第２のガードバンド内にある、請求項６１に記載の装置。
【請求項６９】
前記インジケータに対するサイズまたは値は、展開モードに少なくとも部分的に基づき、
前記展開モードは、
帯域内展開モード、
ガードバンド展開モード、または
スタンドアロン展開モード
のうちの少なくとも１つである、請求項６１に記載の装置。
【請求項７０】
前記周波数領域位置パラメータまたは前記時間領域位置パラメータは、前記アンカーキャリアを基準にしてリソースブロックオフセットを識別するオフセットインジケータに少なくとも部分的に基づく、請求項６１に記載の装置。
【請求項７１】
前記オフセットインジケータは、リソースブロックグループに少なくとも部分的に基づき、
前記アンカーキャリアおよび前記非アンカーキャリアは、前記リソースブロックグループのうちのリソースブロック内にある、
請求項７０に記載の装置。
【請求項７２】
前記非アンカーキャリアに対する周波数領域位置は、中心周波数を基準にして、前記アンカーキャリアの周波数領域位置と反対側にある、請求項６１に記載の装置。
【請求項７３】
前記ＳＩＢ１メッセージのためのサブフレームまたはフレームは、セル識別子または反復構成に少なくとも部分的に基づいて決定される、請求項６１に記載の装置。
【請求項７４】
ワイヤレス通信のための装置であって、
ランダムアクセスのための時分割複信ネットワーク内の、複数のキャリアのうちの、第１のキャリアを用いてランダムアクセスチャネルを送信するための手段と、
前記第１のキャリアとは異なる、前記複数のキャリアのうちの、第２のキャリアを用いて接続要求メッセージを送信するための手段と
を備える装置。
【請求項７５】
前記複数のキャリアは、ランダムアクセスチャネルメッセージのために用いられる少なくとも１つのアンカーキャリアと、少なくとも１つの非アンカーキャリアとを含む、請求項７４に記載の装置。
【請求項７６】
前記接続要求メッセージのための前記第２のキャリアは、ランダムアクセス応答メッセージからのキャリア選択インジケータに少なくとも部分的に基づく、請求項７４に記載の装置。
【請求項７７】
前記接続要求メッセージのための前記第２のキャリアは、所定の情報または受信されたシステム情報ブロックメッセージに少なくとも部分的に基づく、請求項７４に記載の装置。
【請求項７８】
前記接続要求メッセージのための前記第２のキャリアは、ランダムアクセスチャネルサブキャリアの量と、前記接続要求メッセージに関連する送信帯域幅とに少なくとも部分的に基づく、請求項７４に記載の装置。
【請求項７９】
前記接続要求メッセージおよびランダムアクセスチャネルメッセージは、前記複数のキャリアのうちの共通のキャリアを用いて送信される、請求項７４に記載の装置。
【請求項８０】
前記接続要求メッセージは、ランダムアクセスチャネルリソースと重なり合わない次に利用可能なサブフレームを用いて送信される、請求項７９に記載の装置。
【発明の詳細な説明】
【技術分野】
【０００１】
関連出願の相互参照
[0001]本出願は、参照により本明細書に明示的に組み込まれている、２０１７年１１月１６日に出願した「ＴＥＣＨＮＩＱＵＥＳ  ＡＮＤ  ＡＰＰＡＲＡＴＵＳＥＳ  ＦＯＲ  ＣＡＲＲＩＥＲ  ＭＡＮＡＧＥＭＥＮＴ」という名称の特許協力条約（ＰＣＴ）特許出願第ＰＣＴ／ＣＮ２０１７／１１１３０８号の優先権を主張するものである。
【０００２】
[0002]本開示の態様は、一般に、ワイヤレス通信に関し、より詳細には、キャリア管理のための技法および装置に関する。
【背景技術】
【０００３】
[0003]ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（たとえば、帯域幅、送信電力など）を共有することによって複数のユーザとの通信をサポートすることが可能な多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、時分割同期符号分割多元接続（ＴＤ−ＳＣＤＭＡ）システム、およびロングタームエボリューション（ＬＴＥ（登録商標））を含む。ＬＴＥ／ＬＴＥアドバンストは、第３世代パートナーシッププロジェクト（３ＧＰＰ（登録商標））によって公表されたユニバーサル移動電気通信システム（ＵＭＴＳ）モバイル規格の拡張のセットである。
【０００４】
[0004]ワイヤレス通信ネットワークは、いくつかのユーザ機器（ＵＥ）のための通信をサポートできるいくつかの基地局（ＢＳ）を含んでよい。ＵＥは、ダウンリンクおよびアップリンクを介してＢＳと通信し得る。ダウンリンク（または、順方向リンク）はＢＳからＵＥへの通信リンクを指し、アップリンク（または、逆方向リンク）はＵＥからＢＳへの通信リンクを指す。本明細書でより詳細に説明するように、ＢＳは、ノードＢ、ｇＮＢ、アクセスポイント（ＡＰ）、ラジオヘッド、送信受信ポイント（ＴＲＰ）、５Ｇ  ＢＳ、５ＧノードＢなどと呼ばれることがある。
【０００５】
[0005]上記の多元接続技術は、異なるワイヤレス通信デバイスが都市、国家、地域、さらには地球規模で通信することを可能にする共通プロトコルを提供するために、様々な電気通信規格において採用されている。ニューラジオ（ＮＲ：New radio）と呼ばれることもある５Ｇは、第３世代パートナーシッププロジェクト（３ＧＰＰ）によって公表されたＬＴＥモバイル規格の拡張のセットである。５Ｇは、スペクトル効率を改善すること、コストを下げること、サービスを改善すること、新たなスペクトルを利用すること、ならびにダウンリンク（ＤＬ）上でサイクリックプレフィックス（ＣＰ）を伴うＯＦＤＭ（ＣＰ−ＯＦＤＭ）を使用して、アップリンク（ＵＬ）上でＣＰ−ＯＦＤＭおよび／またはＳＣ−ＦＤＭ（たとえば、離散フーリエ変換拡散ＯＤＦＭ（ＤＦＴ−ｓ−ＯＦＤＭ）とも呼ばれる）を使用して、またビームフォーミング、多入力多出力（ＭＩＭＯ）アンテナ技術、およびキャリアアグリゲーションをサポートして、他のオープン規格とよりよく統合することによって、モバイルブロードバンドインターネットアクセスをよりよくサポートするように設計されている。しかしながら、モバイルブロードバンドアクセスに対する需要が高まり続けるにつれて、ＬＴＥ技術および５Ｇ技術におけるさらなる改善に対する必要性が存在する。好ましくは、これらの改善は、これらの技術を採用する他の多元接続技術および電気通信規格に適用可能であるべきである。
【０００６】
[0006]ＢＳおよびＵＥは、キャリアを用いて通信してよい。たとえば、狭帯域モノのインターネット（ＮＢ−ＩｏＴ）時分割複信（ＴＤＤ：time division duplex）動作において、ＢＳおよびＵＥは、少なくとも１つのキャリアを用いて伝達される、ブロードキャストチャネル、共有チャネル、ダウンリンクチャネル、アップリンクチャネルなど、チャネルのグループを用いて通信してよい。第１の物理リソースブロック（ＰＲＢ：physical resource block）は、狭帯域１次同期信号、狭帯域２次同期信号などを含んでよい。第１のＰＲＢは、ネットワークのためのアンカーキャリアであってよい。１つまたは複数の第２のＰＲＢは、ページング、ランダムアクセス手順、およびユニキャスト送信のための非アンカーキャリアとして、システム情報ブロックシグナリング、無線リソース制御シグナリングなどを用いて構成されてよい。
【０００７】
[0007]システム情報ブロックタイプ１狭帯域（ＳＩＢ１−ＮＢ）メッセージは、アンカーキャリア上で送信されてよく、時分割多重化通信システムなどにおいて、狭帯域２次同期信号と多重化されてよい。場合によっては、ＳＩＢ１−ＮＢは、マスタ情報ブロックに関連するインジケーションに少なくとも部分的に基づくなど、非アンカーキャリア上で送信されてよく、これは隣接したセルのセットからのＳＩＢ１−ＮＢの反復の量が閾値量よりも大きいときなど、ＳＩＢ１−ＮＢに対するセル間干渉を低減し得る。しかし、非アンカーキャリア上のＳＩＢ１−ＮＢの送信に関連する周波数、時間、反復の量、電力などは、構成されない場合がある。
【発明の概要】
【０００８】
[0008]本明細書で説明するいくつかの態様は、キャリア管理の機構を提供し得る。たとえば、ＢＳは、メッセージを送信するために周波数領域位置パラメータ、時間領域位置パラメータなどを決定してよい。同様に、ＵＥは、複数のキャリアを識別してよく、および複数のキャリアのうちの少なくとも１つを用いて接続要求メッセージ（たとえば、Ｍｓｇ３タイプメッセージ）を送信してよい。この場合、少なくとも１つのキャリアは、接続要求メッセージのためには、ランダムアクセスチャネルメッセージのためとは異なってよく、それによって、接続要求メッセージを送信することに関連する時間遅延を低減し、接続要求メッセージとランダムアクセスチャネルメッセージとの間の衝突の可能性を低減する。このようにして、ＢＳおよびＵＥは、ＳＩＢ１−ＮＢメッセージ、接続要求メッセージ（たとえば、ｍｓｇ３タイプメッセージ）などのためなど、非アンカーキャリアを用いたメッセージングを可能にし得る。
【０００９】
[0009]本開示の一態様では、方法、ユーザ機器、基地局、装置、およびコンピュータプログラム製品が提供される。
【００１０】
[0010]いくつかの態様では、方法は、基地局によって、非アンカーキャリアまたはアンカーキャリアのための、周波数領域位置パラメータまたは時間領域位置パラメータを識別するインジケータを含むマスタ情報ブロックメッセージを送信することを含んでよい。方法は、基地局によっておよび非アンカーキャリアまたはアンカーキャリアを用いて、周波数領域位置パラメータまたは時間領域位置パラメータに従って、システム情報ブロックタイプ１（ＳＩＢ１）メッセージをユーザ機器に送信することを含んでよい。
【００１１】
[0011]いくつかの態様では、基地局は、メモリと、メモリに結合された少なくとも１つのプロセッサとを含んでよい。メモリおよび少なくとも１つのプロセッサは、非アンカーキャリアまたはアンカーキャリアのための、周波数領域位置パラメータまたは時間領域位置パラメータを識別するインジケータを含むマスタ情報ブロックメッセージを送信するように構成されてよい。メモリおよび少なくとも１つのプロセッサは、非アンカーキャリアまたはアンカーキャリアを用いて、周波数領域位置パラメータまたは時間領域位置パラメータに従って、システム情報ブロックタイプ１（ＳＩＢ１）メッセージをユーザ機器に送信するように構成されてよい。
【００１２】
[0012]いくつかの態様では、装置は、非アンカーキャリアまたはアンカーキャリアのための、周波数領域位置パラメータまたは時間領域位置パラメータを識別するインジケータを含むマスタ情報ブロックメッセージを送信するための手段を含んでよい。装置は、非アンカーキャリアまたはアンカーキャリアを用いて、周波数領域位置パラメータまたは時間領域位置パラメータに従って、システム情報ブロックタイプ１（ＳＩＢ１）メッセージをユーザ機器に送信するための手段を含んでよい。
【００１３】
[0013]いくつかの態様では、コンピュータプログラム製品は、コンピュータ実行可能コードを記憶する非一時的コンピュータ可読媒体を含んでよい。コードは、非アンカーキャリアまたはアンカーキャリアのための、周波数領域位置パラメータまたは時間領域位置パラメータを識別するインジケータを含むマスタ情報ブロックメッセージを送信するためのコードを含んでよい。コードは、非アンカーキャリアまたはアンカーキャリアを用いて、周波数領域位置パラメータまたは時間領域位置パラメータに従って、システム情報ブロックタイプ１（ＳＩＢ１）メッセージをユーザ機器に送信するためのコードを含んでよい。
【００１４】
[0014]いくつかの態様では、方法は、ユーザ機器によって、ランダムアクセスのための時分割複信ネットワーク内の、複数のキャリアのうちの、第１のキャリアを用いてランダムアクセスチャネルを送信することを含んでよい。方法は、ユーザ機器によって、第１のキャリアとは異なる、複数のキャリアのうちの、第２のキャリアを用いて接続要求メッセージを送信することを含んでよい。
【００１５】
[0015]いくつかの態様では、ユーザ機器は、メモリと、メモリに結合された少なくとも１つのプロセッサとを含んでよい。メモリおよび少なくとも１つのプロセッサは、ランダムアクセスのための時分割複信ネットワーク内の、複数のキャリアのうちの、第１のキャリアを用いてランダムアクセスチャネルを送信するように構成されてよい。メモリおよび少なくとも１つのプロセッサは、第１のキャリアとは異なる、複数のキャリアのうちの、第２のキャリアを用いて接続要求メッセージを送信するように構成されてよい。
【００１６】
[0016]いくつかの態様では、装置は、ランダムアクセスのための時分割複信ネットワーク内の、複数のキャリアのうちの、第１のキャリアを用いてランダムアクセスチャネルを送信するための手段を含んでよい。装置は、第１のキャリアとは異なる、複数のキャリアのうちの、第２のキャリアを用いて接続要求メッセージを送信するための手段を含んでよい。
【００１７】
[0017]いくつかの態様では、コンピュータプログラム製品は、コンピュータ実行可能コードを記憶する非一時的コンピュータ可読媒体を含んでよい。コードは、ランダムアクセスのための時分割複信ネットワーク内の、複数のキャリアのうちの、第１のキャリアを用いてランダムアクセスチャネルを送信するためのコードを含んでよい。コードは、第１のキャリアとは異なる、複数のキャリアのうちの、第２のキャリアを用いて接続要求メッセージを送信するためのコードを含んでよい。
【００１８】
[0018]態様は、概して、添付の明細書および図面に関して本明細書で実質的に説明され、それらによって示されるように、方法と、装置と、システムと、コンピュータプログラム製品と、非一時的コンピュータ可読媒体と、ユーザ機器と、基地局と、ワイヤレス通信デバイスと、アクセスポイントと、処理システムとを含む。
【００１９】
[0019]上記は、以下の発明を実施するための形態がよりよく理解され得るように、本開示による例の特徴および技術的利点をかなり広く概説している。追加の特徴および利点が以下で説明される。開示される概念および具体例は、本開示の同じ目的を実行するための他の構造を修正または設計するための基礎として容易に利用され得る。そのような等価な構成は、添付の特許請求の範囲から逸脱しない。本明細書で開示される概念の特性、それらの編成と動作方法の両方は、関連する利点とともに、添付図に関して検討すると以下の説明からよりよく理解されよう。図の各々は、例示および説明のために提供され、特許請求の範囲の限定の定義として提供されるものではない。
【図面の簡単な説明】
【００２０】
【図１】[0020]ワイヤレス通信ネットワークの一例を示す図。
【図２】[0021]ワイヤレス通信ネットワークにおいて基地局がユーザ機器（ＵＥ）と通信している一例を示す図。
【図３】[0022]分散された無線アクセスネットワーク（ＲＡＮ）の例示的な論理アーキテクチャを示す図。
【図４】[0023]分散されたＲＡＮの例示的な物理アーキテクチャを示す図。
【図５】[0024]キャリア管理に関する一例を示す図。
【図６】[0025]キャリア管理に関する一例を示す図。
【図７】[0026]キャリア管理に関する一例を示す図。
【図８】[0027]キャリア管理に関する一例を示す図。
【図９】[0028]キャリア管理に関する一例を示す図。
【図１０】[0029]ワイヤレス通信の方法のフローチャート。
【図１１】[0030]例示的な装置における異なるモジュール／手段／構成要素の間のデータフローを示す概念データフロー図。
【図１２】[0031]処理システムを採用する装置のためのハードウェア実装形態の一例を示す図。
【図１３】[0032]ワイヤレス通信の方法のフローチャート。
【図１４】[0033]例示的な装置における異なるモジュール／手段／構成要素の間のデータフローを示す概念データフロー図。
【図１５】[0034]処理システムを採用する装置のためのハードウェア実装形態の一例を示す図。
【発明を実施するための形態】
【００２１】
[0035]添付の図面に関して以下に記載する詳細な説明は、様々な構成の説明として意図されており、本明細書で説明する概念が実践され得る構成を表すことを意図しない。詳細な説明は、様々な概念の完全な理解を与える目的で具体的な詳細を含む。しかしながら、これらの概念がこれらの具体的な詳細なしに実践され得ることが当業者には明らかであろう。いくつかの事例では、そのような概念を不明瞭にすることを回避するために、よく知られている構造および構成要素がブロック図の形態で示される。
【００２２】
[0036]ここで、様々な装置および方法を参照しながら、電気通信システムのいくつかの態様が提示される。これらの装置および方法は、以下の発明を実施するための形態において説明され、（「要素」と総称される）様々なブロック、モジュール、構成要素、回路、ステップ、プロセス、アルゴリズムなどによって添付の図面に示される。これらの要素は、電子ハードウェア、コンピュータソフトウェア、またはそれらの任意の組合せを使用して実装され得る。そのような要素がハードウェアとして実装されるのかそれともソフトウェアとして実装されるのかは、特定の適用例および全体的なシステムに課される設計制約に依存する。
【００２３】
[0037]例として、要素、または要素の任意の部分、または要素の任意の組合せは、１つまたは複数のプロセッサを含む「処理システム」を用いて実装され得る。プロセッサの例は、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、個別ハードウェア回路、および本開示全体にわたって説明する様々な機能を実行するように構成された他の好適なハードウェアを含む。処理システムの中の１つまたは複数のプロセッサはソフトウェアを実行し得る。ソフトウェアは、ソフトウェア、ファームウェア、ミドルウェア、マイクロコード、ハードウェア記述言語、またはその他の名称で呼ばれるかどうかにかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味するものと広く解釈されるものとする。
【００２４】
[0038]したがって、１つまたは複数の例示的な実施形態では、説明する機能は、ハードウェア、ソフトウェア、ファームウェア、またはそれらの任意の組合せで実装され得る。ソフトウェアで実装される場合、機能は、コンピュータ可読媒体上に記憶されてよく、またはコンピュータ可読媒体上の１つまたは複数の命令またはコードとして符号化されてもよい。コンピュータ可読媒体はコンピュータ記憶媒体を含む。記憶媒体は、コンピュータによってアクセスされ得る任意の利用可能な媒体であってよい。限定ではなく例として、そのようなコンピュータ可読媒体は、ランダムアクセスメモリ（ＲＡＭ）、読取り専用メモリ（ＲＯＭ）、電気的消去可能プログラマブルＲＯＭ（ＥＥＰＲＯＭ（登録商標））、コンパクトディスクＲＯＭ（ＣＤ−ＲＯＭ）もしくは他の光ディスクストレージ、磁気ディスクストレージもしくは他の磁気記憶デバイス、上述のタイプのコンピュータ可読媒体の組合せ、またはコンピュータによってアクセスされ得る命令もしくはデータ構造の形態のコンピュータ実行可能コードを記憶するために使用され得る任意の他の媒体を備えることができる。
【００２５】
[0039]３Ｇおよび／または４Ｇのワイヤレス技術に共通に関連する用語を使用して本明細書で諸態様が説明されることがあるが、本開示の態様が、５Ｇ技術を含む、５Ｇ以降などの他世代ベースの通信システムにおいて適用され得ることに留意されたい。
【００２６】
[0040]図１は、本開示の態様が実践され得るネットワーク１００を示す図である。ネットワーク１００は、ＬＴＥネットワーク、または５Ｇネットワークなどのいくつかの他のワイヤレスネットワークであってよい。ワイヤレスネットワーク１００は、いくつかのＢＳ１１０（ＢＳ１１０ａ、ＢＳ１１０ｂ、ＢＳ１１０ｃ、およびＢＳ１１０ｄとして示す）と他のネットワークエンティティとを含んでよい。ＢＳは、ユーザ機器（ＵＥ）と通信するエンティティであり、基地局、５Ｇ  ＢＳ、ノードＢ、ｇＮＢ、５Ｇ  ＮＢ、アクセスポイント、送信受信ポイント（ＴＲＰ）などと呼ばれることもある。各ＢＳは、特定の地理的エリアに通信カバレージを提供し得る。３ＧＰＰでは、「セル」という用語は、この用語が使用されるコンテキストに応じて、このカバレージエリアをサービスするＢＳおよび／またはＢＳサブシステムのカバレージエリアを指すことができる。
【００２７】
[0041]ＢＳは、マクロセル、ピコセル、フェムトセル、および／または別のタイプのセルのための通信カバレージを提供し得る。マクロセルは、比較的大きい地理的エリア（たとえば、半径数キロメートル）をカバーしてよく、サービスに加入しているＵＥによる無制限アクセスを可能にし得る。ピコセルは、比較的小さい地理的エリアをカバーしてよく、サービスに加入しているＵＥによる無制限アクセスを可能にし得る。フェムトセルは、比較的小さい地理的エリア（たとえば、自宅）をカバーしてよく、フェムトセルとの関連付けを有するＵＥ（たとえば、限定加入者グループ（ＣＳＧ：Closed Subscriber Group）の中のＵＥ）による制限付きアクセスを可能にし得る。マクロセル用のＢＳはマクロＢＳと呼ばれることがある。ピコセル用のＢＳはピコＢＳと呼ばれることがある。フェムトセル用のＢＳは、フェムトＢＳまたはホームＢＳと呼ばれることがある。図１に示す例では、ＢＳ１１０ａはマクロセル１０２ａ用のマクロＢＳであってよく、ＢＳ１１０ｂはピコセル１０２ｂ用のピコＢＳであってよく、ＢＳ１１０ｃはフェムトセル１０２ｃ用のフェムトＢＳであってよい。ＢＳは、１つまたは複数の（たとえば、３つの）セルをサポートし得る。「ｅＮＢ」、「基地局」、「５Ｇ  ＢＳ」、「ｇＮＢ」、「ＴＲＰ」、「ＡＰ」、「ノードＢ」、「５Ｇ  ＮＢ」、および「セル」という用語は、本明細書で互換的に使用され得る。
【００２８】
[0042]いくつかの例では、セルは必ずしも固定であるとは限らない場合があり、セルの地理的エリアはモバイルＢＳのロケーションに従って移動することがある。いくつかの例では、ＢＳは、任意の好適なトランスポートネットワークを使用して、直接物理接続、仮想ネットワークなどの様々なタイプのバックホールインターフェースを通じて、互いに、および／またはアクセスネットワーク１００の中の１つもしくは複数の他のＢＳもしくはネットワークノード（図示せず）に相互接続され得る。
【００２９】
[0043]ワイヤレスネットワーク１００はまた、中継局を含んでよい。中継局とは、上流局（たとえば、ＢＳまたはＵＥ）からのデータの送信を受信でき、そのデータの送信を下流局（たとえば、ＵＥまたはＢＳ）へ送ることができるエンティティである。中継局はまた、他のＵＥのための送信を中継できるＵＥであってよい。図１に示す例では、中継局１１０ｄは、ＢＳ１１０ａとＵＥ１２０ｄとの間の通信を容易にするためにマクロＢＳ１１０ａおよびＵＥ１２０ｄと通信し得る。中継局は、中継ＢＳ、中継基地局、リレーなどと呼ばれることもある。
【００３０】
[0044]ワイヤレスネットワーク１００は、異なるタイプのＢＳ、たとえば、マクロＢＳ、ピコＢＳ、フェムトＢＳ、中継ＢＳなどを含む異種ネットワークであってよい。これらの様々なタイプのＢＳは、様々な送信電力レベル、様々なカバレージエリア、およびワイヤレスネットワーク１００における干渉に対する様々な影響を有し得る。たとえば、マクロＢＳは、高い送信電力レベル（たとえば、５〜４０ワット）を有してよく、ピコＢＳ、フェムトＢＳ、および中継ＢＳは、もっと低い送信電力レベル（たとえば、０．１〜２ワット）を有してよい。
【００３１】
[0045]ネットワークコントローラ１３０は、１組のＢＳに結合してよく、これらのＢＳのための協調と制御とを提供し得る。ネットワークコントローラ１３０は、バックホールを経由してＢＳと通信し得る。ＢＳはまた、たとえば、ワイヤレスまたはワイヤラインのバックホールを経由して互いに直接または間接的に通信し得る。いくつかの態様では、ネットワークコントローラ１３０は、通信のために用いられるべき複数のキャリアを決定してよい。たとえば、ネットワークコントローラ１３０は、狭帯域モノのインターネット（ＮＢ−ＩｏＴ）時分割複信（ＴＤＤ）通信のためのアンカーチャネルのための第１のキャリアと、ＮＢ−ＩｏＴ  ＴＤＤ通信のための非アンカーチャネルのための少なくとも１つの第２のキャリアとを決定してよい。さらに、ネットワークコントローラ１３０は、接続要求メッセージが、複数のキャリアにおいて識別される非アンカーキャリアを用いるなど、ランダムアクセスチャネル要求メッセージとは異なるキャリアを用いて送信されるようにするためのメッセージを送信してよい。
【００３２】
[0046]ＵＥ１２０（たとえば、１２０ａ、１２０ｂ、１２０ｃ）はワイヤレスネットワーク１００全体にわたって分散されてよく、各ＵＥは固定式またはモバイルであってよい。ＵＥは、アクセス端末、端末、移動局、加入者ユニット、局などと呼ばれることもある。ＵＥは、セルラーフォン（たとえば、ＵＥ１２０ｂおよび／または１２０ｄなどのスマートフォン）、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲームデバイス、ネットブック、スマートブック、ウルトラブック、医療デバイスもしくは機器、生体センサー／生体デバイス（たとえば、ＵＥ１２０ｃなど）、ウェアラブルデバイス（スマートウォッチ、スマート衣類、スマートグラス、スマートリストバンド、スマートジュエリー（たとえば、スマートリング、スマートブレスレット））、エンターテインメントデバイス（たとえば、音楽デバイスもしくはビデオデバイス、または衛星ラジオ）、車両構成要素もしくは車両センサー、スマートメーター／スマートセンサー、工業用製造機器、全地球測位システムデバイス、スマートホームデバイス（たとえば、ＵＥ１２０ａなどの、スマート家電、スマート電球など）、またはワイヤレス媒体もしくは有線媒体を介して通信するように構成されている任意の他の好適なデバイスであってよい。
【００３３】
[0047]いくつかのＵＥは、マシンタイプ通信（ＭＴＣ）または発展型もしくは拡張マシンタイプ通信（ｅＭＴＣ）ＵＥと見なされてよい。ＭＴＣ  ＵＥおよびｅＭＴＣ  ＵＥは、たとえば、基地局、別のデバイス（たとえば、リモートデバイス）、または何らかの他のエンティティと通信し得る、センサー、メーター、モニタ、ロケーションタグなどの、リモートデバイス、ドローン、ロボットを含む。ワイヤレスノードは、たとえば、有線通信リンクまたはワイヤレス通信リンクを介した、ネットワーク（たとえば、インターネットまたはセルラーネットワークなどのワイドエリアネットワーク）のための、またはネットワークへの接続性を提供し得る。いくつかのＵＥは、ＩｏＴデバイスと見なされてよく、および／またはＮＢ−ＩｏＴデバイスとして実装され得るように実装されてよい。いくつかのＵＥは、顧客構内機器（ＣＰＥ：Customer Premises Equipment）と見なされてよい。ＵＥ１２０は、プロセッサ構成要素、メモリ構成要素などのＵＥ１２０の構成要素を収容するハウジング内に含まれてよい。
【００３４】
[0048]概して、任意の数のワイヤレスネットワークが所与の地理的エリアの中に展開され得る。各ワイヤレスネットワークは、特定のＲＡＴをサポートしてよく、１つまたは複数の周波数上で動作してよい。ＲＡＴは、無線技術、エアインターフェースなどと呼ばれることもある。周波数は、キャリア、周波数チャネルなどと呼ばれることもある。各周波数は、異なるＲＡＴのワイヤレスネットワーク間の干渉を回避するために、所与の地理的エリアの中で単一のＲＡＴをサポートし得る。場合によっては、５Ｇ  ＲＡＴネットワークが展開され得る。
【００３５】
[0049]いくつかの例では、エアインターフェースへのアクセスがスケジュールされてよく、スケジューリングエンティティ（たとえば、基地局）が、スケジューリングエンティティのサービスエリアすなわちセル内の一部または全部のデバイスおよび機器の間での通信のためのリソースを割り振る。本開示内では、以下でさらに説明するように、スケジューリングエンティティは、１つまたは複数の従属エンティティのためのリソースをスケジュールすること、割り当てること、再構成すること、および解放することを担当し得る。すなわち、スケジュールされた通信のために、従属エンティティは、スケジューリングエンティティによって割り振られたリソースを利用する。
【００３６】
[0050]基地局は、スケジューリングエンティティとして機能し得る唯一のエンティティではない。すなわち、いくつかの例では、ＵＥが、１つまたは複数の従属エンティティ（たとえば、１つまたは複数の他のＵＥ）のためのリソースをスケジュールする、スケジューリングエンティティとして機能し得る。この例では、ＵＥは、スケジューリングエンティティとして機能しており、他のＵＥは、ワイヤレス通信のためにＵＥによってスケジュールされたリソースを利用する。ＵＥは、ピアツーピア（Ｐ２Ｐ）ネットワークの中で、および／またはメッシュネットワークの中で、スケジューリングエンティティとして機能し得る。メッシュネットワーク例では、ＵＥは、スケジューリングエンティティと通信することに加えて、随意に互いに直接通信し得る。
【００３７】
[0051]したがって、時間周波数リソースへのスケジュール型アクセスを伴い、セルラー構成と、Ｐ２Ｐ構成と、メッシュ構成とを有するワイヤレス通信ネットワークでは、スケジューリングエンティティおよび１つまたは複数の従属エンティティは、スケジュールされたリソースを利用して通信し得る。
【００３８】
[0052]上記のように、図１は一例として提供されるにすぎない。他の例が可能であり、図１に関して説明されたものと異なってよい。
【００３９】
[0053]図２は、図１における基地局のうちの１つおよびＵＥのうちの１つであってよい基地局１１０およびＵＥ１２０の設計のブロック図２００を示す。基地局１１０は、Ｔ個のアンテナ２３４ａ〜２３４ｔを装備してよく、ＵＥ１２０はＲ個のアンテナ２５２ａ〜２５２ｒを装備してよく、ただし、一般にＴ≧１およびＲ≧１である。
【００４０】
[0054]基地局１１０において、送信プロセッサ２２０は、１つまたは複数のＵＥのためにデータソース２１２からデータを受け取ってよく、ＵＥから受信されたチャネル品質インジケータ（ＣＱＩ：channel quality indicator）に少なくとも部分的に基づいてＵＥごとに１つまたは複数の変調およびコーディング方式（ＭＣＳ：modulation and coding scheme）を選択してよく、そのＵＥのために選択されたＭＣＳに少なくとも部分的に基づいてＵＥごとにデータを処理（たとえば、符号化および変調）してよく、すべてのＵＥのためのデータシンボルを提供してよい。送信プロセッサ２２０はまた、（たとえば、準静的リソース区分情報（ＳＲＰＩ：semi-static resource partitioning information）などのための）システム情報と、制御情報（たとえば、ＣＱＩ要求、許可、上位レイヤシグナリングなど）とを処理してよく、オーバーヘッドシンボルと制御シンボルとを提供してよい。送信プロセッサ２２０はまた、基準信号（たとえば、ＣＲＳ）および同期信号（たとえば、１次同期信号（ＰＳＳ：primary synchronization signal）および２次同期信号（ＳＳＳ：secondary synchronization signal））のための基準シンボルを生成してよい。たとえば、送信プロセッサ２２０は、非アンカーキャリア上の送信のためのシステム情報ブロック（ＳＩＢ：system information block）メッセージに関連する基準シンボルを生成してよい。送信（ＴＸ）多入力多出力（ＭＩＭＯ）プロセッサ２３０は、適用可能な場合、データシンボル、制御シンボル、オーバーヘッドシンボル、および／または基準シンボルに対して空間処理（たとえば、プリコーディング）を実行してよく、Ｔ個の出力シンボルストリームをＴ個の変調器（ＭＯＤ）２３２ａ〜２３２ｔに提供してよい。各変調器２３２は、出力サンプルストリームを取得するためにそれぞれの出力シンボルストリームを（たとえば、ＯＦＤＭなどのために）処理してよい。各変調器２３２は、ダウンリンク信号を取得するために出力サンプルストリームをさらに処理（たとえば、アナログに変換、増幅、フィルタ処理、およびアップコンバート）してよい。変調器２３２ａ〜２３２ｔからのＴ個のダウンリンク信号は、それぞれ、Ｔ個のアンテナ２３４ａ〜２３４ｔを介して送信されてよい。以下でより詳細に説明する様々な態様によれば、同期信号は、追加情報を伝達するためにロケーション符号化を用いて生成され得る。
【００４１】
[0055]ＵＥ１２０において、アンテナ２５２ａ〜２５２ｒは、基地局１１０および／または他の基地局からダウンリンク信号を受信してよく、それぞれ、受信信号を復調器（ＤＥＭＯＤ）２５４ａ〜２５４ｒに提供してよい。各復調器２５４は、入力サンプルを取得するために受信信号を調整（たとえば、フィルタ処理、増幅、ダウンコンバート、およびデジタル化）してよい。各復調器２５４は、受信シンボルを取得するために入力サンプルを（たとえば、ＯＦＤＭなどのために）さらに処理してよい。ＭＩＭＯ検出器２５６は、すべてのＲ個の復調器２５４ａ〜２５４ｒから受信シンボルを取得してよく、適用可能な場合、受信シンボルに対してＭＩＭＯ検出を実行してよく、検出されたシンボルを提供してよい。受信プロセッサ（ＲＸ）２５８は、検出されたシンボルを処理（たとえば、復調および復号）してよく、ＵＥ１２０のための復号データをデータシンク２６０に提供してよく、復号された制御信号とシステム情報とをコントローラ／プロセッサ２８０に提供してよい。チャネルプロセッサは、ＲＳＲＰ、ＲＳＳＩ、ＲＳＲＱ、ＣＱＩなどを決定してよい。
【００４２】
[0056]アップリンク上では、ＵＥ１２０において、送信プロセッサ２６４は、データソース２６２からデータを、またコントローラ／プロセッサ２８０から（たとえば、ＲＳＲＰ、ＲＳＳＩ、ＲＳＲＱ、ＣＱＩなどを備える報告のための）制御情報を、受け取ってよく処理してよい。たとえば、送信プロセッサ２６４は、アンカーキャリア、非アンカーキャリアなど、複数のキャリアのうちのキャリアを用いた接続要求メッセージの送信を可能にするために、複数のキャリアを識別するデータなどの、データを処理してよい。送信プロセッサ２６４はまた、１つまたは複数の基準信号のための基準シンボルを生成してよい。送信プロセッサ２６４からのシンボルは、適用可能な場合、ＴＸ  ＭＩＭＯプロセッサ２６６によってプリコーディングされてよく、変調器２５４ａ〜２５４ｒによって（たとえば、ＤＦＴ−ｓ−ＯＦＤＭ、ＣＰ−ＯＦＤＭなどのために）さらに処理されてよく、基地局１１０へ送信されてよい。基地局１１０において、ＵＥ１２０および他のＵＥからのアップリンク信号は、アンテナ２３４によって受信されてよく、復調器２３２によって処理されてよく、適用可能な場合、ＭＩＭＯ検出器２３６によって検出されてよく、ＵＥ１２０によって送られた復号データと制御情報とを取得するために、受信プロセッサ２３８によってさらに処理されてよい。受信プロセッサ２３８は、復号データをデータシンク２３９に、また復号された制御情報をコントローラ／プロセッサ２４０に提供してよい。基地局１１０は、通信ユニット２４４を含んでよく、通信ユニット２４４を介してネットワークコントローラ１３０に通信し得る。ネットワークコントローラ１３０は、通信ユニット２９４と、コントローラ／プロセッサ２９０と、メモリ２９２とを含んでよい。
【００４３】
[0057]基地局１１０のコントローラ／プロセッサ２４０、ＵＥ１２０のコントローラ／プロセッサ２８０、および／または図２の任意の他の構成要素は、本明細書における他の場所でより詳細に説明するように、キャリア管理に関連する１つまたは複数の技法を実行してよい。たとえば、基地局１１０のコントローラ／プロセッサ２４０、ＵＥ１２０のコントローラ／プロセッサ２８０、および／または図２の任意の他の構成要素は、たとえば、図１０の方法１０００、図１３の方法１３００、および／または本明細書で説明する他のプロセスの動作を実行または指示し得る。メモリ２４２および２８２は、それぞれ、ＢＳ１１０およびＵＥ１２０のためのデータとプログラムコードとを記憶し得る。スケジューラ２４６は、ダウンリンク上および／またはアップリンク上でのデータ送信のためにＵＥをスケジュールし得る。
【００４４】
[0058]上記のように、図２は一例として提供されるにすぎない。他の例が可能であり、図２に関して説明されたものと異なってよい。
【００４５】
[0059]５Ｇとは、新たなエアインターフェース（たとえば、直交周波数分割多元接続（ＯＦＤＭＡ）をベースとするエアインターフェース以外の）、または固定のトランスポートレイヤ（たとえば、インターネットプロトコル（ＩＰ）以外の）に従って動作するように構成された無線を指してよい。態様において、５Ｇは、アップリンクにおいて、ＣＰを用いたＯＦＤＭ（本明細書ではサイクリックプレフィックスＯＦＤＭまたはＣＰ−ＯＦＤＭと呼ばれる）および／またはＳＣ−ＦＤＭを利用してよく、ダウンリンクにおいてＣＰ−ＯＦＤＭを利用してよく、およびＴＤＤを用いた半二重動作に対するサポートを含んでよい。態様において、５Ｇは、たとえば、アップリンクにおいて、ＣＰを用いたＯＦＤＭ（本明細書ではＣＰ−ＯＦＤＭと呼ばれる）および／または離散フーリエ変換拡散直交周波数分割多重（ＤＦＴ−ｓ−ＯＦＤＭ）を利用してよく、ダウンリンクにおいてＣＰ−ＯＦＤＭを利用してよく、およびＴＤＤを用いた半二重動作に対するサポートを含んでよい。５Ｇは、広い帯域幅（たとえば、８０メガヘルツ（ＭＨｚ）以上）を目標とする拡張モバイルブロードバンド（ｅＭＢＢ：Enhanced Mobile Broadband）サービス、高いキャリア周波数（たとえば、６０ギガヘルツ（ＧＨｚ））を目標とするミリ波（ｍｍＷ）、非バックワードコンパチブルＭＴＣ技法を目標とする大規模ＭＴＣ（ｍＭＴＣ）、および／または超高信頼低遅延通信（ＵＲＬＣＣ：ultra reliable low latency communications）サービスを目標とするミッションクリティカルを含んでよい。
【００４６】
[0060]１００ＭＨｚの単一コンポーネントキャリア帯域幅がサポートされてよい。５Ｇリソースブロックは、０．１ｍｓ持続時間にわたって、７５キロヘルツ（ｋＨｚ）のサブキャリア帯域幅を有する１２サブキャリアに広がってよい。各無線フレームは、１０ｍｓの長さを有する５０サブフレームを含んでよい。その結果として、各サブフレームは、０．２ｍｓの長さを有してよい。各サブフレームはデータ送信のためのリンク方向（たとえば、ＤＬまたはＵＬ）を示してよく、各サブフレームのためのリンク方向は動的に切り換えられてよい。各サブフレームは、ＤＬ／ＵＬデータおよびＤＬ／ＵＬ制御データを含んでよい。
【００４７】
[0061]ビームフォーミングがサポートされてよく、ビーム方向は動的に構成されてよい。プリコーディングを用いたＭＩＭＯ送信もサポートされてよい。ＤＬにおけるＭＩＭＯ構成は、８ストリームまで、およびＵＥ当たり２ストリームまでの、マルチレイヤＤＬ送信を用いた８個までの送信アンテナをサポートしてよい。ＵＥ当たり２ストリームまでを用いたマルチレイヤ送信がサポートされてよい。複数のセルのアグリゲーションは、８個までのサービングセルを用いてサポートされてよい。代替として、５Ｇは、ＯＦＤＭベースのインターフェース以外の異なるエアインターフェースをサポートしてよい。５Ｇネットワークは、中央ユニットまたは分散ユニットなどのエンティティを含んでよい。
【００４８】
[0062]ＲＡＮは、中央ユニット（ＣＵ：central unit）および分散ユニット（ＤＵ：distributed unit）を含んでよい。５Ｇ  ＢＳ（たとえば、ｇＮＢ、５ＧノードＢ、ノードＢ、送信受信ポイント（ＴＲＰ：transmit receive point）、アクセスポイント（ＡＰ））は、１つまたは複数のＢＳに対応してよい。５Ｇセルは、アクセスセル（Ａセル）またはデータ専用セル（Ｄセル）として構成され得る。たとえば、ＲＡＮ（たとえば、中央ユニットまたは分散ユニット）は、セルを構成することができる。Ｄセルは、キャリアアグリゲーションまたはデュアル接続性のために用いられるが、初期アクセス、セル選択／再選択、またはハンドオーバのためには用いられないセルであってよい。いくつかの態様では、Ｄセルは同期信号を送信しなくてよい。いくつかの態様では、Ｄセルは同期信号を送信してよい。５Ｇ  ＢＳは、セルタイプを示すダウンリンク信号をＵＥに送信してよい。セルタイプインジケーションに少なくとも部分的に基づいて、ＵＥは５Ｇ  ＢＳと通信してよい。たとえば、ＵＥは、示されるセルタイプに少なくとも部分的に基づいて、セル選択、アクセス、ハンドオーバ、および／または測定に対して考慮するように５Ｇ  ＢＳを決定してよい。
【００４９】
[0063]図３は、本開示の態様による、分散されたＲＡＮ３００の例示的な論理アーキテクチャを示す。５Ｇアクセスノード３０６は、アクセスノードコントローラ（ＡＮＣ）３０２を含んでよい。ＡＮＣは、分散されたＲＡＮ３００の中央ユニット（ＣＵ）であってよい。次世代コアネットワーク（ＮＧ−ＣＮ：next generation core network）３０４へのバックホールインターフェースは、ＡＮＣにおいて終端してよい。隣接した次世代アクセスノード（ＮＧ−ＡＮ：next generation access node）へのバックホールインターフェースは、ＡＮＣにおいて終端してよい。ＡＮＣは、１つまたは複数のＴＲＰ３０８（これらはまた、ＢＳ、５Ｇ  ＢＳ、ノードＢ、５Ｇ  ＮＢ、ＡＰ、ｇＮＢ、または何らかの他の用語として呼ばれることがある）を含んでよい。上記で説明したように、ＴＲＰは「セル」と互換的に使用され得る。
【００５０】
[0064]ＴＲＰ３０８は分散ユニット（ＤＵ）であってよい。ＴＲＰは、１つのＡＮＣ（ＡＮＣ３０２）、または２つ以上のＡＮＣ（図示せず）に接続されてよい。たとえば、ＲＡＮ共有、サービスとしての無線（ＲａａＳ：radio as a service）、およびサービス固有ＡＮＤ展開のために、ＴＲＰは２つ以上のＡＮＣに接続されてよい。ＴＲＰは１つまたは複数のアンテナポートを含んでよい。ＴＲＰは、個々に（たとえば、動的選択）、または共同で（たとえば、共同送信）ＵＥへのトラフィックをサービスするように構成されてよい。
【００５１】
[0065]ＲＡＮ３００のローカルアーキテクチャは、フロントホール定義を示すために用いられ得る。アーキテクチャは、異なる展開タイプにわたるフロントホーリングソリューションをサポートするものとして定義され得る。たとえば、アーキテクチャは、送信ネットワーク能力（たとえば、帯域幅、レイテンシ、および／またはジッタ）に少なくとも部分的に基づき得る。
【００５２】
[0066]アーキテクチャは、特徴および／または構成要素をＬＴＥと共有してよい。態様によれば、次世代ＡＮ（ＮＧ−ＡＮ）３１０は、５Ｇとのデュアル接続性をサポートしてよい。ＮＧ−ＡＮは、ＬＴＥおよび５Ｇのための共通のフロントホールを共有してよい。
【００５３】
[0067]アーキテクチャは、ＴＲＰ３０８の間およびその中での協力を可能にし得る。たとえば、協力は、ＴＲＰ内で、および／またはＡＮＣ３０２を通じてＴＲＰにわたって、予め設定されてよい。態様によれば、ＴＲＰ間インターフェースは必要なくてよく、存在しなくてよい。
【００５４】
[0068]態様によれば、ＲＡＮ３００のアーキテクチャ内に、分割された論理機能の動的構成が存在してよい。ＡＮＣまたはＴＲＰにおいて、ＰＤＣＰ、ＲＬＣ、ＭＡＣプロトコルが適応的に配置されてよい。
【００５５】
[0069]様々な態様によれば、ＢＳは、中央ユニット（ＣＵ）（たとえば、ＡＮＣ３０２）、および／または１つまたは複数の分散ユニット（たとえば、１つまたは複数のＴＲＰ３０８）を含んでよい。
【００５６】
[0070]上記のように、図３は一例として提供されるにすぎない。他の例が可能であり、図３に関して説明されたものと異なってよい。
【００５７】
[0071]図４は、本開示の態様による、分散されたＲＡＮ４００の例示的物理アーキテクチャを示す。集中化されたコアネットワークユニット（Ｃ−ＣＵ：centralized core network unit）４０２は、コアネットワーク機能をホストしてよい。Ｃ−ＣＵは、集中的に展開されてよい。Ｃ−ＣＵ機能性は、ピーク能力を取り扱うことを目的として、オフロードされてよい（たとえば、高度ワイヤレスサービス（ＡＷＳ：advanced wireless services）に対して）。
【００５８】
[0072]集中化されたＲＡＮユニット（Ｃ−ＲＵ：centralized RAN unit）４０４は、１つまたは複数のＡＮＣ機能をホストしてよい。随意に、Ｃ−ＲＵはローカルにコアネットワーク機能をホストしてよい。Ｃ−ＲＵは、分散された展開を有してよい。Ｃ−ＲＵは、ネットワークエッジに、より近くてよい。
【００５９】
[0073]分散ユニット（ＤＵ）４０６は、１つまたは複数のＴＲＰをホストしてよい。ＤＵは、無線周波数（ＲＦ）機能性を有してネットワークのエッジに位置してよい。
【００６０】
[0074]上記のように、図４は一例として提供されるにすぎない。他の例が可能であり、図４に関して説明されたものと異なってよい。
【００６１】
[0075]図５は、ＮＢ−ＩｏＴ帯域内展開モードに対して、非アンカーキャリア上でＳＩＢ１−ＮＢを送信するためのキャリア管理に関する例５００を示す図である。
【００６２】
[0076]５１０において、基地局（たとえば、ＢＳ１１０）は、複数の潜在的周波数領域位置から、アンカーキャリアのための周波数領域位置を決定してよい。たとえば、基地局は、記憶された情報に少なくとも部分的に基づいて、アンカーキャリアのための複数の潜在的周波数領域位置を決定してよい。
【００６３】
[0077]５２０において、基地局は、帯域内通信システム（たとえば、ＬＴＥ通信システム）に対する中心周波数を決定してよい。
【００６４】
[0078]５３０において、基地局は中心周波数に対する、アンカーキャリアのためのオフセットインデックス値を識別してよい。いくつかの態様では、オフセットインデックス値は、中心周波数に対する、アンカーキャリアのための物理リソースブロック（ＰＲＢ）インデックスオフセット、Ｐ、であってよい。基地局は、ＭＩＢを復号した後にＵＥ（たとえば、ＵＥ１２０）がアンカーキャリアの周波数位置を決定することを可能にするために、マスタ情報ブロック（ＭＩＢ：master information block）においてインデックスオフセットをシグナリングしてよい。いくつかの態様では、ＭＩＢは、中心周波数に隣接しおよびそれより低い周波数範囲にあるＰＲＢ、または中心周波数に隣接しおよびそれより高い周波数範囲にあるＰＲＢを示すなど、周波数位置を示すための１ビットインジケータを含んでよい。
【００６５】
[0079]５４０において、基地局は、非アンカーキャリアのために、別の周波数領域位置を、非アンカーキャリアが中心周波数位置に対してアンカーキャリアと反対側のＰＲＢにあるように、選択してよい。たとえば、基地局は、非アンカーキャリアのための物理リソースブロックインデックスオフセットが、アンカーキャリアのための物理リソースブロックインデックスオフセットの逆であると決定してよい。言い換えれば、アンカーキャリア物理リソースブロックインデックスオフセット、Ｐ、に対して、非アンカーキャリア物理リソースブロックインデックスオフセットは、−Ｐである。このようにして、基地局は、ＳＩＢ−ＮＢのための非アンカーキャリアの周波数位置をシグナリングするために情報を送信する必要性をなくし、それによってネットワークリソースの利用を低減する。ＵＥは、非アンカーキャリアの周波数領域位置を識別する周波数領域位置パラメータを、アンカーキャリアのオフセットインデックスに少なくとも部分的に基づいて、決定してよく、それによって、アンカーキャリアの周波数領域位置と、非アンカーキャリアの周波数領域位置とをシグナリングするために別々のメッセージを必要とするのと比べてネットワークリソースの利用を低減する。
【００６６】
[0080]上記のように、図５は一例として提供される。他の例が可能であり、図５に関して説明されたものと異なってよい。
【００６７】
[0081]図６は、キャリア管理に関する例６００を示す図である。
【００６８】
[0082]６１０において、基地局（たとえば、ＢＳ１１０）は、共通のリソースブロックグループ内にアンカーキャリアおよび非アンカーキャリアを提供することを決定してよい。たとえば、１０メガヘルツ（ＭＨｚ）帯域幅を有するＬＴＥ通信システムにおいて、基地局は、アンカーキャリアのためにインデックス９を有する物理リソースブロック（ＰＲＢ）を、および非アンカーキャリアのためにインデックス１０および／または１１を有する物理リソースブロックを用いることを決定してよい。この場合、アンカーキャリアおよび非アンカーキャリアの物理リソースブロックは、インデックス３の単一のリソースブロックグループ（ＲＧＢ３）に含まれ、非アンカーキャリアのための物理リソースブロック（ＰＲＢ９）は、物理リソースブロックオフセット値１および／または２（ＰＲＢ１０および／または１１）を有して、アンカーキャリアのための物理リソースブロックに続く。
【００６９】
[0083]６２０において、同様に、基地局は、非アンカーキャリアのためにインデックス３３および／または３４を有する物理リソースブロックを、およびアンカーキャリアのために物理リソースブロック３５を用いることを決定してよい。この場合、非アンカーキャリアおよびアンカーキャリアの物理リソースブロックは、インデックス１１の単一のリソースブロックグループ（ＲＧＢ１１）に含まれ、非アンカーキャリアのための物理リソースブロック（ＰＲＢ３５）は、オフセット値−１および／または−２を有するアンカーキャリアのための物理リソースブロック（ＰＲＢ３４および／または３３）に続く。いくつかの態様では、４つの物理リソースブロックオフセットインデックス値のセットの１つは、２ビットインジケータを用いてＵＥにシグナリングされてよく、ＵＥは、シグナリングされたオフセットインデックス値に少なくとも部分的に基づいて、非アンカーキャリアの周波数を識別してよい。このようにして、物理リソースブロックグループ利用の低下は、帯域内ＬＴＥ通信システムに対するキャリアとリソースブロックグループとの不整合の可能性を低減することに少なくとも部分的に基づいて、低減される。
【００７０】
[0084]上記のように、図６は一例として提供される。他の例が可能であり、図６に関して説明されたものと異なってよい。
【００７１】
[0085]図７は、アンカーキャリアと非アンカーキャリアの両方上でのＳＩＢ１−ＮＢのためのキャリア管理に関する例７００を示す図である。
【００７２】
[0086]７１０において、少なくとも１つの基地局（たとえば、ＢＳ１１０）は、ＳＩＢ１−ＮＢ送信のために複数のセルを提供してよい。いくつかの態様では、ＳＩＢ１−ＮＢは、２５６０ミリ秒（ｍｓ）期間など、特定の期間に関連付けられてよく、これはＳＩＢ１−ＮＢ送信のために８０ｍｓの送信時間間隔（ＴＴＩ）の長さを有して、アンカーキャリアおよび非アンカーキャリアのために１６０ｍｓのインクリメントに分割されてよい。いくつかの態様では、ＳＩＢ１−ＮＢは、アンカーキャリア上で送信されるとき、交互の無線フレームのサブフレーム０（たとえば、無線フレーム１、３、５などの、または無線フレーム２、４、６、８などのサブフレーム０）など、特定の無線フレームの特定のサブフレームにおいて送信されてよい。追加または代替として、非アンカーキャリア上で送信されるとき、ＳＩＢ１−ＮＢは、交互の無線フレームのサブフレーム０および５上で送信されてよい（たとえば、無線フレーム１、３、５などの、または無線フレーム２、４、６、８などのサブフレーム０および５）。
【００７３】
[0087]７２０において、基地局は、複数のセルのうちの１つまたは複数のセルを通じて、アンカーキャリアおよび／または非アンカーキャリアを送信してよい。いくつかの態様では、基地局は、アンカーキャリアおよび／または非アンカーキャリアの送信のための電力ブーストパラメータを決定してよい。たとえば、キャリアの物理リソースブロックの共通の電力増幅器を用いた帯域内動作モードまたはガードバンド動作モードに対して、ＳＩＢ１−ＮＢ送信のための非アンカーキャリアに対する電力ブーストは、３デシベル（ｄＢ）であってよい。これと対照的に、アンカーキャリアに対する電力ブーストは、６ｄＢであってよい。結果として、基地局は、アンカーキャリア上のＳＩＢ１−ＮＢの送信のためのサブフレームの量と比べて、非アンカーキャリア上のＳＩＢ１−ＮＢの送信のためにより大きな量のサブフレームを割り当ててよい。たとえば、基地局は、非アンカーキャリア上の交互の無線フレーム内のインデックス０およびインデックス５の各サブフレームにおいてＳＩＢ１−ＮＢを送信してよく、アンカーキャリア上の交互の無線フレーム内のインデックス０の各サブフレームにおいてＳＩＢ１−ＮＢを送信してよい。この場合、基地局は、非アンカーキャリア上でＳＩＢ１−ＮＢの１６反復、またはアンカーキャリア上でＳＩＢ１−ＮＢの８反復を送信してよい。いくつかの態様では、基地局は、アンカーキャリアと非アンカーキャリアの両方上で、ＳＩＢ１−ＮＢを送信してよい。たとえば、基地局は、アンカーキャリア上で１つのＳＩＢ１−ＮＢ反復、および非アンカーキャリア上で２つのＳＩＢ１−ＮＢ反復を送信してよい。
【００７４】
[0088]いくつかの態様では、非アンカーキャリアは、共通のガードバンド内でアンカーキャリアに隣接してよい。いくつかの態様では、非アンカーキャリアは、ガードバンド内のアンカーキャリアの反対側の周波数位置にあってよい。いくつかの態様では、非アンカーキャリアは、アンカーキャリアに隣接した、帯域内物理リソースブロック（ＰＲＢ）内にあってよい。
【００７５】
[0089]上記のように、図７は一例として提供される。他の例が可能であり、図７に関して説明されたものと異なってよい。
【００７６】
[0090]図８は、非アンカーキャリア上のＳＩＢ１−ＮＢのためのキャリア管理に関する例８００を示す図である。
【００７７】
[0091]図８に示されるように、基地局（たとえば、ＢＳ１１０）は、複数の電力増幅器を用いたガードバンド動作モードにおいて、またはスタンドアロンモードにおいて、ＳＩＢ１−ＮＢを提供してよい。たとえば、基地局は、アンカーキャリアおよび非アンカーキャリアのために共通の電力ブーストパラメータをＳＩＢ１−ＮＢに提供してよい。この場合、ＳＩＢ１−ＮＢ送信のためのサブフレームおよびフレームの量は、アンカーキャリアおよび非アンカーキャリアに対して共通とすることができる。
【００７８】
[0092]８１０および８２０において、基地局は、各２５６０ｍｓＳＩＢ１−ＮＢ期間内で、および１６０ｍｓのキャリア長を用いて、ＳＩＢ１−ＮＢ送信の４反復のセットを提供してよい。この場合、基地局は、２５６０ｍｓ期間を所与として、０ｍｓ、１６０ｍｓ、３２０ｍｓ、４８０ｍｓのフレームオフセットを決定してよい。いくつかの態様では、基地局は、キャリア内の各１６０ｍｓ期間の１０ｍｓ期間において、ＳＩＢ１−ＮＢ送信を提供してよい。
【００７９】
[0093]８３０および８４０において、これと対照的に、基地局は、各２５６０ｍｓ期間においてＳＩＢ１−ＮＢ送信の８反復のセットを提供してよい。この場合、基地局は、０ｍｓまたは１６０ｍｓのフレームオフセットを決定してよい。いくつかの態様では、基地局は、交互の無線フレームのサブフレーム０においてＳＩＢ１−ＮＢを送信してよい。たとえば、基地局は、セルに関連するセル識別子、ＳＩＢ１−ＮＢ期間当たりの反復の量などに少なくとも部分的に基づいて、奇数インデックスの無線フレームまたは偶数インデックスの無線フレーム内の送信の間で選択してよい。この場合、示されるように、基地局は、ＳＩＢ１−ＮＢ期間の交互の部分における、偶数物理セル識別値（ＰＣＩＤ：physical cell identity value）を有するセルに対して第１のＳＩＢ１−ＮＢを、および奇数物理セル識別値を有するセルに対して第２のＳＩＢ１−ＮＢを送信することを決定してよい。
【００８０】
[0094]上記のように、図８は一例として提供される。他の例が可能であり、図８に関して説明されたものと異なってよい。
【００８１】
[0095]図９は、ランダムアクセスメッセージを送信するためのキャリア管理に関する例９００を示す図である。
【００８２】
[0096]９１０において、周波数分割複信（ＦＤＤ：frequency division duplex）ＮＢ−ＩｏＴ通信システムに対して、ユーザ機器（たとえば、ＵＥ１２０）は、共通のキャリア上で、狭帯域物理ランダムアクセスチャネル（ＮＢ−ＰＲＡＣＨまたはＮＰＲＡＣＨ）、および接続要求メッセージ（たとえば、物理アップリンク共有チャネルＰＵＳＣＨを用いたＭｓｇ３タイプメッセージ）を送信してよい。たとえば、ユーザ機器は、特定のＮＢ−ＰＲＡＣＨ周期性を用いて、ならびにＮＢ−ＰＲＡＣＨ送信のために割り振られた第１の部分および接続要求メッセージのために利用可能な第２の部分を用いて、１８０キロヘルツ（ｋＨｚ）帯域チャネルを送信してよい。いくつかの態様では、ＮＢ−ＰＲＡＣＨ送信および接続要求メッセージに対して衝突が生じるとき、ユーザ機器は、接続要求メッセージの送信を、ＮＢ−ＰＲＡＣＨリソースと重なり合わない、後のアップリンクサブフレームまで延期してよい。
【００８３】
[0097]９２０において、時分割複信（ＴＤＤ）ＮＢ−ＩｏＴ通信システムに対して、ユーザ機器は、１つまたは複数のキャリア上でＮＢ−ＰＲＡＣＨおよび接続要求メッセージを送信してよい。いくつかの態様では、ＵＥ１２０は、共通のキャリアを用いて、ランダムアクセスチャネルおよび接続要求メッセージを送信してよい。この場合、接続要求メッセージの送信を延期することは、ダウンリンク優遇型の構成においてなど、アップリンクサブフレーム閾値量よりも小さいものがユーザ機器に割り振られる結果として、過大な遅延を引き起こし得る。たとえば、ＴＤＤ構成タイプ２において、ユーザ機器には、各フレーム内に２つのアップリンクサブフレームが割り振られてよく、ＮＢ−ＰＲＡＣＨは２つのアップリンクサブフレームの両方の部分において送信されてよい。いくつかの態様では、ユーザ機器は、接続要求メッセージおよびＮＢ−ＰＲＡＣＨが、ＦＤＤ  ＮＢ−ＩｏＴの場合のような共通のキャリア上ではなく異なるキャリア上で送信されことを許可してよい。いくつかの態様では、ＵＥ１２０は、第１のキャリアを用いてランダムアクセスチャネルを、および第１のキャリアとは異なる第２のキャリアを用いて接続要求メッセージを送信してよい。たとえば、ランダムアクセス応答（ＲＡＲ：random access response）メッセージ内、またはシステム情報ブロックメッセージ内のビットインジケータを受信することに少なくとも部分的に基づいて、ユーザ機器は、２つの非アンカーキャリア、アンカーキャリアおよび非アンカーキャリアなど、複数のキャリアを識別し得る。この場合、ユーザ機器は、ＮＢ−ＰＲＡＣＨを複数のキャリアのうちの第１のキャリア（たとえば、アンカーキャリア、または複数の非アンカーキャリアのうちの非アンカーキャリア）上で、および接続要求メッセージを複数のキャリアのうちの第２のキャリア上で（たとえば、非アンカーキャリア上で）送信してよい。
【００８４】
[0098]いくつかの態様では、ユーザ機器は、ＮＢ−ＰＲＡＣＨおよび接続要求メッセージに対して異なるキャリアを示すメッセージを受信してよく、ＮＢ−ＰＲＡＣＨが単一の物理リソースブロック内で接続要求メッセージと多重化され得るかどうかに少なくとも部分的に基づいて、ＮＢ−ＰＲＡＣＨおよび接続要求メッセージを異なるキャリア上で送信するかどうかを決定してよい。たとえば、ユーザ機器は、ＮＢ−ＰＲＡＣＨサブキャリアの量、接続要求メッセージのための送信帯域幅などに少なくとも部分的に基づいて、ＮＢ−ＰＲＡＣＨおよび接続要求メッセージを異なるキャリアにおいて送信するかどうかを決定してよい。
【００８５】
[0099]上記のように、図９は一例として提供される。他の例が可能であり、図９に関して説明されたものと異なってよい。
【００８６】
[00100]図１０は、非アンカーキャリア上でＳＩＢ１−ＮＢを送信するためのワイヤレス通信の方法１０００のフローチャートである。方法は、基地局（たとえば、ＢＳ１１０、装置１１０２／１１０２’、ＢＳ１４５０など）によって実行され得る。
【００８７】
[00101]１０１０において、いくつかの態様では、基地局は非アンカーキャリアまたはアンカーキャリアのための複数のパラメータを決定してよい。たとえば、基地局は（たとえば、コントローラ／プロセッサ２４０などを用いて）、非アンカーキャリアまたはアンカーキャリアのうちの少なくとも１つのための複数のパラメータを決定してよく、複数のパラメータは、周波数領域位置パラメータと、時間領域位置パラメータとを含む。
【００８８】
[00102]１０２０において、基地局は、複数のパラメータを識別するマスタ情報ブロックメッセージを送信してよい。たとえば、基地局は（たとえば、コントローラ／プロセッサ２４０、送信プロセッサ２２０、ＴＸ  ＭＩＭＯプロセッサ２３０、ＭＯＤ２３２、アンテナ２３４などを用いて）、周波数領域位置パラメータ、時間領域位置パラメータなどを識別するマスタ情報ブロックメッセージを送信してよい。
【００８９】
[00103]１０３０において、基地局は、システム情報ブロックタイプ１（ＳＩＢ１）メッセージを送信してよい。たとえば、基地局は（たとえば、コントローラ／プロセッサ２４０、送信プロセッサ２２０、ＴＸ  ＭＩＭＯプロセッサ２３０、ＭＯＤ２３２、アンテナ２３４などを用いて）、非アンカーキャリアまたはアンカーキャリアを用いて、周波数領域位置パラメータ、時間領域位置パラメータなどに従って、ＳＩＢ１メッセージをユーザ機器に送信してよい。いくつかの態様では、基地局は、ユーザ機器とのＮＢ−ＩｏＴ通信のためのＳＩＢ１メッセージを生成してよい。いくつかの態様では、ＳＩＢ１メッセージは、別のタイプのシステム情報ブロックメッセージ、非システム情報ブロックメッセージなど、別のタイプのメッセージであってよい。
【００９０】
[00104]方法１０００は、任意の単一の態様または以下で説明する態様の任意の組合せなど、追加の態様を含んでよい。
【００９１】
[00105]いくつかの態様では、ＳＩＢ１メッセージは、非アンカーキャリアの交互の無線フレームのサブフレーム０およびサブフレーム５において送信される。いくつかの態様では、ＳＩＢ１メッセージは、アンカーキャリアの交互の無線フレームのサブフレーム０において送信される。いくつかの態様では、周波数領域位置パラメータは、中心周波数に対する物理リソースブロックオフセットに関連して識別され、アンカーキャリアは、物理リソースブロックオフセットだけ中心周波数よりも大きい第１の周波数範囲内にあり、および非アンカーキャリアは、物理リソースブロックオフセットだけ中心周波数よりも小さい第２の周波数範囲内にあり、または非アンカーキャリアは、物理リソースブロックオフセットだけ中心周波数よりも大きい第１の周波数範囲内にあり、およびアンカーキャリアは、物理リソースブロックオフセットだけ中心周波数よりも小さい第２の周波数範囲内にある。
【００９２】
[00106]いくつかの態様では、非アンカーキャリアは、リソースブロックグループのうちの、少なくとも１つの第１の物理リソースブロック内にあり、非アンカーキャリアは、リソースブロックグループのうちの、少なくとも１つの第２の物理リソースブロック内にあり、少なくとも１つの第２の物理リソースブロックは、少なくとも１つの第１の物理リソースブロックと少なくとも１つの第２の物理リソースブロックとの間に、リソースブロックグループのうちの１つまたは複数の物理リソースブロックなしに、少なくとも１つの第１の物理リソースブロックに隣接する。いくつかの態様では、非アンカーキャリアおよびアンカーキャリアは、共通のガードバンドに関連する。いくつかの態様では、少なくとも１つの第２の物理リソースブロックは、帯域内物理リソースブロックである。いくつかの態様では、非アンカーキャリアは第１のガードバンド内にあり、アンカーキャリアは第１のガードバンドとは異なる第２のガードバンド内にある。
【００９３】
[00107]いくつかの態様では、複数のパラメータのうちの少なくとも１つのパラメータ、インジケータに対するサイズまたは値は、展開モードに少なくとも部分的に基づいて基づいて識別され、展開モードは、帯域内展開モード、ガードバンド展開モード、またはスタンドアロン展開モードの１つにおける動作のうちの少なくとも１つである。いくつかの態様では、周波数領域位置パラメータまたは時間領域位置パラメータは、アンカーキャリアを基準にしてリソースブロックオフセットを識別するオフセットインジケータに少なくとも部分的に基づく。いくつかの態様では、オフセットインジケータは、リソースブロックグループに少なくとも部分的に基づき、アンカーキャリアおよび非アンカーキャリアは、リソースブロックグループのうちのリソースブロック内にある。いくつかの態様では、非アンカーキャリアに対する周波数領域位置は、中心周波数を基準にして、アンカーキャリアの周波数領域位置と反対側にある。
【００９４】
[00108]いくつかの態様では、複数のパラメータのうちの、少なくとも１つのパラメータは、アンカーキャリアの物理リソースブロックインデックスオフセットに少なくとも部分的に基づいて識別される。いくつかの態様では、複数のパラメータのうちの、少なくとも１つのパラメータは、帯域内通信のリソースブロックグループに少なくとも部分的に基づいて識別される。いくつかの態様では、ＳＩＢ１メッセージの少なくとも１つの反復は、アンカーキャリア上で送信され、ＳＩＢ１メッセージの少なくとも１つの反復は、非アンカーキャリア上で送信される。
【００９５】
[00109]いくつかの態様では、非アンカーキャリアのための、複数のパラメータのうちの、電力ブーストパラメータは、アンカーキャリアのための電力値よりも小さい。いくつかの態様では、非アンカーキャリア上の送信の反復の量は、アンカーキャリア上の送信の反復の量よりも大きい。いくつかの態様では、ＳＩＢ１メッセージのためのサブフレームまたはフレームは、セル識別子または反復構成に少なくとも部分的に基づいて決定される。
【００９６】
[00110]図１０はワイヤレス通信の方法の例示的なブロックを示すが、いくつかの態様では、方法は、追加のブロック、もっと少ないブロック、異なるブロック、または図１０に示すものとは異なって構成されたブロックを含んでよい。追加または代替として、図１０に示す２つ以上のブロックが並行して実行されてよい。
【００９７】
[00111]図１１は、例示的な装置１１０２における異なるモジュール／手段／構成要素の間のデータフローを示す概念データフロー図１１００である。装置１１０２は、ＢＳであってよい。いくつかの態様では、装置１１０２は、受信モジュール１１０４、決定モジュール１１０６、および／または送信モジュール１１０８を含む。
【００９８】
[00112]受信モジュール１１０４は、ユーザ機器１１５０から、およびデータ１１１０として、ＮＢ−ＩｏＴ通信に関連する情報を受信してよい。いくつかの態様では、受信モジュール１１０４は、マスタ情報ブロックメッセージを受信してよい。たとえば、受信モジュール１１０４は、ＮＢ−ＩｏＴキャリア周波数をシグナリングするためにビットのグループを含むマスタ情報ブロックメッセージを受信してよい。
【００９９】
[00113]決定モジュール１１０６は、受信モジュール１１０４から、およびデータ１１１２として、ＮＢ−ＩｏＴ通信のための複数のパラメータを決定することに関連する情報を受信してよい。いくつかの態様では、決定モジュール１１０６は、複数のキャリアのうちの非アンカーキャリアのために複数のパラメータを決定してよい。たとえば、決定モジュール１１０６は、非アンカーキャリアのために周波数領域位置パラメータ、時間領域位置パラメータなどを決定してよい。いくつかの態様では、決定モジュール１１０６は、マスタ情報ブロックメッセージの情報に少なくとも部分的に基づいて、複数のパラメータを決定してよい。たとえば、決定モジュール１１０６は、マスタ情報ブロックメッセージに含まれるビットのグループに少なくとも部分的に基づいて、非アンカーキャリアの周波数位置を決定してよい。
【０１００】
[00114]いくつかの態様では、決定モジュール１１０６は、ＮＢ−ＩｏＴに対する展開モードに少なくとも部分的に基づいて、複数のパラメータのうちの、パラメータを決定してよい。たとえば、帯域内展開モードに対して、決定モジュール１１０６は、マスタ情報ブロックメッセージのうちの５ビットは、通信システムの中心周波数からの非アンカーキャリアまたはアンカーキャリアのオフセットを識別する物理リソースブロックインデックスオフセット値を示すと決定してよい。この場合、非アンカーキャリアのオフセットは、アンカーキャリアのオフセットの逆であってよい。追加または代替として、ガードバンド展開または帯域内展開に対して、マスタ情報ブロックは、４つの構成された物理リソースブロックインデックスオフセットのグループのうちの物理リソースブロックインデックスオフセットを識別することに関連する２ビットを含んでよい。いくつかの態様では、決定モジュール１１０６は、アンカーキャリアのリソースブロックグループに少なくとも部分的に基づいて、複数のパラメータのうちの、パラメータを決定してよい。たとえば、決定モジュール１１０６は、アンカーキャリアのリソースブロックグループを決定してよく、および非アンカーキャリアが同じリソースブロックグループ内にあるように、非アンカーキャリアの周波数位置および／または時間位置を決定してよい。
【０１０１】
[00115]いくつかの態様では、決定モジュール１１０６は、非アンカーキャリアのために、複数のパラメータのうちの、電力ブーストパラメータを決定してよい。たとえば、決定モジュール１１０６は、非アンカーキャリアは、アンカーキャリアより低い電力値に関連付けられるべきであると決定してよい。追加または代替として、決定モジュール１１０６は、非アンカーキャリアおよびアンカーキャリアは、共通の電力値に関連付けられるべきであると決定してよい。
【０１０２】
[00116]送信モジュール１１０８は、決定モジュール１１０６から、およびデータ１１１４として、データ１１１６をユーザ機器１１５０に送信することに関連する情報を受信してよい。いくつかの態様では、送信モジュール１１０８は、システム情報ブロックメッセージに関連する複数のパラメータ（たとえば、時間領域位置パラメータ、周波数領域位置パラメータなど）を識別するために、マスタ情報ブロックメッセージを送信してよい。いくつかの態様では、送信モジュール１１０８は、システム情報ブロックメッセージの反復をユーザ機器１１５０に送信してよい。たとえば、送信モジュール１１０８は、アンカーキャリア上、非アンカーキャリア上、アンカーキャリアおよび非アンカーキャリアの組合せ上などで、複数の反復を送信してよい。いくつかの態様では、送信モジュール１１０８は、システム情報ブロックメッセージの特定の量の反復を送信してよい。たとえば、より低い電力ブースト値を用いて非アンカーキャリア上で送信しているとき、送信モジュール１１０８は、より大きな電力ブースト値を用いてアンカーキャリア上で送信しているときと比べて、非アンカーキャリア上でより大きな量の反復を送信してよい。いくつかの態様では、送信モジュール１１０８は、サブフレームまたはフレームの特定のサブセットなど、リソースの特定のサブセットを用いて送信してよい。たとえば、送信モジュール１１０８は、セルに対するセル識別子、反復構成（たとえば、構成される反復の量）などに少なくとも部分的に基づいて、特定のサブフレームまたはフレームを用いて送信してよい。
【０１０３】
[00117]装置は、図１０の上述のフローチャートにおけるアルゴリズムのブロックの各々を実行する追加のモジュールを含んでよい。したがって、図１０の上述のフローチャートにおける各ブロックはモジュールによって実行されてよく、装置は、それらのモジュールのうちの１つまたは複数を含んでよい。モジュールは、述べられたプロセス／アルゴリズムを実行するように特に構成された１つまたは複数のハードウェア構成要素であってよく、述べられたプロセス／アルゴリズムを実行するように構成されたプロセッサによって実施されてよく、プロセッサによる実施のためにコンピュータ可読媒体内に記憶されてよく、またはそれらの何らかの組合せであってよい。
【０１０４】
[00118]図１１に示すモジュールの数および構成は一例として提供される。実際には、追加のモジュール、もっと少ないモジュール、異なるモジュール、または図１１に示すものとは異なって構成されたモジュールがあってよい。さらに、図１１に示す２つ以上のモジュールが、単一のモジュール内に実装されてよく、または図１１に示す単一のモジュールが、複数の分散されたモジュールとして実装されてもよい。追加または代替として、図１１に示すモジュールのセット（たとえば、１つまたは複数のモジュール）は、図１１に示すモジュールの別のセットによって実行されるものとして説明される１つまたは複数の機能を実行してよい。
【０１０５】
[00119]図１２は、処理システム１２０２を採用する装置１１０２’のためのハードウェア実装形態の一例を示す図１２００である。装置１１０２’はＢＳであってよい。
【０１０６】
[00120]処理システム１２０２は、バス１２０４によって概略的に表されるバスアーキテクチャを用いて実装され得る。バス１２０４は、処理システム１２０２の特定の適用例および全体的な設計制約に応じて、任意の数の相互接続バスとブリッジとを含んでよい。バス１２０４は、プロセッサ１２０６によって表される１つまたは複数のプロセッサおよび／またはハードウェアモジュールと、モジュール１１０４、１１０６、１１０８と、コンピュータ可読媒体／メモリ１２０８とを含む、様々な回路を互いにリンクする。バス１２０４はまた、タイミングソース、周辺機器、電圧調節器、および電力管理回路などの様々な他の回路をリンクしてよく、これらの回路は当技術分野でよく知られており、したがって、これ以上説明しない。
【０１０７】
[00121]処理システム１２０２は、トランシーバ１２１０に結合され得る。トランシーバ１２１０は、１つまたは複数のアンテナ１２１２に結合される。トランシーバ１２１０は、伝送媒体を介して様々な他の装置と通信するための手段を提供する。トランシーバ１２１０は、１つまたは複数のアンテナ１２１２から信号を受け取り、受け取られた信号から情報を抽出し、抽出された情報を処理システム１２０２、特に受信モジュール１００４に提供する。加えて、トランシーバ１２１０は、処理システム１２０２、特に送信モジュール１０１０から情報を受け取り、受け取られた情報に少なくとも部分的に基づいて、１つまたは複数のアンテナ１２１２に印加されるべき信号を生成する。処理システム１２０２は、コンピュータ可読媒体／メモリ１２０８に結合されたプロセッサ１２０６を含む。プロセッサ１２０６は、コンピュータ可読媒体／メモリ１２０８上に記憶されたソフトウェアの実行を含む、全体的な処理を担当する。ソフトウェアは、プロセッサ１２０６によって実行されたとき、任意の特定の装置に対して上記で説明した様々な機能を処理システム１２０２に実行させる。コンピュータ可読媒体／メモリ１２０８はまた、ソフトウェアを実行するときにプロセッサ１２０６によって操作されるデータを記憶するために使用され得る。処理システムは、モジュール１１０４、１１０６、および１１０８のうちの少なくとも１つをさらに含む。モジュールは、コンピュータ可読媒体／メモリ１２０８の中に常駐する／記憶された、プロセッサ１２０６の中で動作するソフトウェアモジュール、プロセッサ１２０６に結合された１つまたは複数のハードウェアモジュール、またはそれらの何らかの組合せであってよい。処理システム１２０２は、ＢＳ１１０の構成要素であってよく、メモリ２４２、ならびに／またはＴＸ  ＭＩＭＯプロセッサ２３０、ＲＸプロセッサ２３８、および／もしくはコントローラ／プロセッサ２４０のうちの少なくとも１つを含んでよい。
【０１０８】
[00122]いくつかの態様では、ワイヤレス通信のための装置１１０２／１１０２’は、非アンカーキャリアまたはアンカーキャリアのための、周波数領域位置パラメータまたは時間領域位置パラメータを識別するインジケータを含むマスタ情報ブロックメッセージを送信するための手段と、非アンカーキャリアまたはアンカーキャリアを用いて、周波数領域位置パラメータまたは時間領域位置パラメータなどに従って、システム情報ブロックタイプ１（ＳＩＢ１）メッセージをユーザ機器に送信するための手段と含む。上述の手段は、上述の手段によって記載された機能を実行するように構成された装置１１０２、および／または装置１１０２’の処理システム１２０２の、上述のモジュールのうちの１つまたは複数であってよい。上記で説明したように、処理システム１２０２は、ＴＸ  ＭＩＭＯプロセッサ２３０、受信プロセッサ２３８、および／またはコントローラ／プロセッサ２４０を含んでよい。したがって、一構成では、上述の手段は、上述の手段によって記載された機能を実行するように構成されたＴＸ  ＭＩＭＯプロセッサ２３０、受信プロセッサ２３８、および／またはコントローラ／プロセッサ２４０であってよい。
【０１０９】
[00123]図１２は一例として提供される。他の例が可能であり、図１２に関して説明されたものと異なってよい。
【０１１０】
[00124]図１３は、接続要求メッセージを送信するためのワイヤレス通信の方法１３００のフローチャートである。方法は、ユーザ機器（たとえば、ＵＥ１２０、ＵＥ１１５０、装置１４０２／１４０２’など）によって実行され得る。
【０１１１】
[00125]１３１０において、いくつかの態様では、ユーザ機器は複数のキャリアを識別してよい。たとえば、ユーザ機器は（たとえば、コントローラ／プロセッサ２８０などを用いて）、ランダムアクセスのための時分割複信ネットワークにおける複数のキャリアを識別してよい。
【０１１２】
[00126]１３２０において、ユーザ機器は、複数のキャリアのうちの第１のキャリアを用いてランダムアクセスチャネルを送信してよい。たとえば、ユーザ機器は（たとえば、コントローラ／プロセッサ２８０、送信プロセッサ２６４、ＴＸ  ＭＩＭＯプロセッサ２６６、ＭＯＤ２５４、アンテナ２５２などを用いて）、複数のキャリアを識別することに少なくとも部分的に基づいて、複数のキャリアのうちの、第１のキャリアを用いてランダムアクセスチャネルプリアンブルを送信してよい。
【０１１３】
[00127]１３３０において、ユーザ機器は、複数のキャリアのうちの第２のキャリアを用いて接続要求メッセージを送信してよい。たとえば、ユーザ機器は（たとえば、コントローラ／プロセッサ２８０、送信プロセッサ２６４、ＴＸ  ＭＩＭＯプロセッサ２６６、ＭＯＤ２５４、アンテナ２５２などを用いて）、第１のキャリアとは異なる、複数のキャリアのうちの、第２のキャリアを用いて接続要求メッセージを送信してよい。
【０１１４】
[00128]方法１３００は、任意の単一の態様または以下で説明する態様の任意の組合せなど、追加の態様を含んでよい。
【０１１５】
[00129]いくつかの態様では、複数のキャリアは、ランダムアクセスチャネルメッセージのために用いられる少なくとも１つのアンカーキャリアと、少なくとも１つの非アンカーキャリアとを含む。いくつかの態様では、接続要求メッセージのための第２のキャリアは、ランダムアクセス応答メッセージ（ｍｓｇ２）からのキャリア選択インジケータに少なくとも部分的に基づく。
【０１１６】
[00130]いくつかの態様では、接続要求メッセージのための第２のキャリアは、所定の情報または受信されたシステム情報ブロックメッセージに少なくとも部分的に基づく。いくつかの態様では、接続要求メッセージは、ランダムアクセスチャネルリソースと重なり合わない、次に利用可能なサブフレームを用いて送信される。いくつかの態様では、複数のキャリアのうちの少なくとも１つは、ランダムアクセスメッセージのキャリア選択インジケータに少なくとも部分的に基づく。
【０１１７】
[00131]いくつかの態様では、複数のキャリアは、別の非アンカーキャリアまたはアンカーキャリアを含む。いくつかの態様では、接続要求メッセージおよびランダムアクセスチャネルメッセージは、共通のリソースブロック内で多重化される。いくつかの態様では、接続要求メッセージのための第２のキャリアは、ランダムアクセスチャネルサブキャリアの量、および接続要求メッセージに関連する送信帯域幅に少なくとも部分的に基づいて選択される。
【０１１８】
[00132]いくつかの態様では、接続要求メッセージおよびランダムアクセスチャネルメッセージは、複数のキャリアのうちの共通のキャリアを用いて送信される。いくつかの態様では、複数のキャリアは、記憶された情報または受信されたシステム情報ブロックメッセージに少なくとも部分的に基づいて識別される。いくつかの態様では、接続要求メッセージは、ランダムアクセスチャネルリソースと重なり合わない、次に利用可能なサブフレームを用いて送信される。
【０１１９】
[00133]図１３は、ワイヤレス通信の方法の例示的なブロックを示すが、いくつかの態様では、方法は、追加のブロック、もっと少ないブロック、異なるブロック、または図１３に示すものとは異なって構成されたブロックを含んでよい。追加または代替として、図１３に示す２つ以上のブロックが並行して実行されてよい。
【０１２０】
[00134]図１４は、例示的な装置１４０２における異なるモジュール／手段／構成要素の間のデータフローを示す概念データフロー図１４００である。装置１４０２はＵＥであってよい。いくつかの態様では、装置１４０２は、受信モジュール１４０４、識別モジュール１４０６、および／または送信モジュール１４０８を含む。
【０１２１】
[00135]受信モジュール１４０４は、基地局１４５０から、およびデータ１４１０として、複数のキャリアを識別することに関連する情報を受信してよい。いくつかの態様では、受信モジュール１４０４は、キャリア選択インジケータを受信してよい。たとえば、受信モジュール１４０４は、接続要求メッセージ（たとえば、Ｍｓｇ３タイプメッセージ）を送信するための異なるキャリア（たとえば、ＮＢ−ＰＲＡＣＨを送信するためのキャリアとは異なる）を識別するビットインジケータを有するランダムアクセス要求メッセージを受信してよい。追加または代替として、受信モジュール１４０４は、異なるキャリアを識別するシステム情報ブロックメッセージを受信してよい。
【０１２２】
[00136]識別モジュール１４０６は、受信モジュール１４０４から、およびデータ１４１２として、複数のキャリアを識別することに関連する情報を受信してよい。追加または代替として、識別モジュール１４０６は、記憶された構成に少なくとも部分的に基づいて、複数のキャリアを識別してよい。いくつかの態様では、識別モジュール１４０６は、時分割複信ネットワーク内の複数のキャリアを識別してよい。たとえば、識別モジュール１４０６は、接続要求メッセージのために非アンカーキャリア、およびＮＢ−ＰＲＡＣＨメッセージのためにアンカーキャリアを識別してよい。いくつかの態様では、識別モジュール１４０６は、受信されたキャリア選択インジケータに少なくとも部分的に基づいて接続要求メッセージを送信するためのキャリアを識別してよい。
【０１２３】
[00137]いくつかの態様では、識別モジュール１４０６は、ＮＢ−ＰＲＡＣＨの特性に少なくとも部分的に基づいて接続要求メッセージのためのキャリアを識別してよい。たとえば、接続要求メッセージとＮＢ−ＰＲＡＣＨとが物理リソースブロック内で多重化され得ることに少なくとも部分的に基づいて、識別モジュール１４０６は、送信モジュール１４０８に、接続要求メッセージとＮＢ−ＰＲＡＣＨとを、異なるキャリアにおいて、それとも共通のキャリアにおいて送信させるかを決定してよい。いくつかの態様では、識別モジュール１４０６は、ランダムアクセスチャネルサブキャリアの量、接続要求メッセージに関連する送信帯域幅などに少なくとも部分的に基づいて、送信モジュール１４０８に、接続要求メッセージとＮＢ−ＰＲＡＣＨとを、異なるキャリアにおいて、それとも共通のキャリアにおいて送信させるかを決定してよい。
【０１２４】
[00138]送信モジュール１４０８は、識別モジュール１４０６から、およびデータ１４１４として、基地局１４５０に接続要求メッセージをデータ１４１６として送信することに関連する情報を受信してよい。たとえば、送信モジュール１４０８は、非アンカーキャリアを用いて接続要求を、およびアンカーキャリアを用いてＮＢ−ＰＲＡＣＨを送信するなど、複数のキャリアのうちの少なくとも１つを用いて送信してよい。いくつかの態様では、送信モジュール１４０８は、接続要求メッセージを、ランダムアクセスチャネルリソースと重なり合わないサブフレームにおいて送信してよい。たとえば、送信モジュール１４０８がランダムアクセスチャネルリソースを用いてＮＢ−ＰＲＡＣＨを送信しようとし、接続要求メッセージのためのリソースがランダムアクセスチャネルリソースと衝突するとき、送信モジュール１４０８は、次に利用可能なサブフレームにおいて接続要求メッセージを送信してよい。追加または代替として、送信モジュール１４０８は、ＮＢ−ＰＲＡＣＨとは異なるキャリアを用いて接続要求メッセージを送信してよい。いくつかの態様では、送信モジュール１４０８は、接続要求メッセージと、ＮＢ−ＰＲＡＣＨとを共通のキャリア内に多重化してよい。
【０１２５】
[00139]装置は、上述の図１３のフローチャートにおけるアルゴリズムのブロックのそれぞれを実行する追加のモジュールを含んでよい。したがって、上述の図１３のフローチャートにおける各ブロックはモジュールによって実行されてよく、装置はそれらのモジュールの１つまたは複数を含んでよい。モジュールは、述べられたプロセス／アルゴリズムを実行するように特に構成された１つまたは複数のハードウェア構成要素であってよく、述べられたプロセス／アルゴリズムを実行するように構成されたプロセッサによって実施されてよく、プロセッサによる実施のためにコンピュータ可読媒体内に記憶されてよく、またはそれらの何らかの組合せであってよい。
【０１２６】
[00140]図１４に示すモジュールの数および構成は一例として提供される。実際には、追加のモジュール、もっと少ないモジュール、異なるモジュール、または図１４に示すものとは異なって構成されたモジュールがあってよい。さらに、図１４に示す２つ以上のモジュールが、単一のモジュール内に実装されてよく、または図１４に示す単一のモジュールが、複数の分散されたモジュールとして実装されてもよい。追加または代替として、図１４に示すモジュールのセット（たとえば、１つまたは複数のモジュール）は、図１４に示すモジュールの別のセットによって実行されるものとして説明される１つまたは複数の機能を実行してよい。
【０１２７】
[00141]図１５は、処理システム１５０２を採用する装置１４０２’のためのハードウェア実装形態の一例を示す図１５００である。装置１４０２’はＵＥであってよい。
【０１２８】
[00142]処理システム１５０２は、バス１５０４によって概略的に表されるバスアーキテクチャを用いて実装され得る。バス１５０４は、処理システム１５０２の特定の適用例および全体的な設計制約に応じて、任意の数の相互接続バスとブリッジとを含んでよい。バス１５０４は、プロセッサ１５０６によって表される１つまたは複数のプロセッサおよび／またはハードウェアモジュールと、モジュール１４０４、１４０６、１４０８、およびコンピュータ可読媒体／メモリ１５０８とを含む、様々な回路を互いにリンクする。バス１５０４はまた、タイミングソース、周辺機器、電圧調節器、および電力管理回路などの様々な他の回路をリンクしてよく、これらの回路は当技術分野でよく知られており、したがって、これ以上説明しない。
【０１２９】
[00143]処理システム１５０２は、トランシーバ１５１０に結合され得る。トランシーバ１５１０は、１つまたは複数のアンテナ１５１２に結合される。トランシーバ１５１０は、伝送媒体を介して様々な他の装置と通信するための手段を提供する。トランシーバ１５１０は、１つまたは複数のアンテナ１５１２から信号を受け取り、受け取られた信号から情報を抽出し、抽出された情報を処理システム１５０２、特に受信モジュール１４０４に提供する。加えて、トランシーバ１５１０は、処理システム１５０２、特に送信モジュール１４０８から情報を受け取り、受け取られた情報に少なくとも部分的に基づいて、１つまたは複数のアンテナ１５１２に印加されるべき信号を生成する。処理システム１５０２は、コンピュータ可読媒体／メモリ１５０８に結合されたプロセッサ１５０６を含む。プロセッサ１５０６は、コンピュータ可読媒体／メモリ１５０８上に記憶されたソフトウェアの実行を含む、全体的な処理を担当する。ソフトウェアは、プロセッサ１５０６によって実行されたとき、任意の特定の装置に対して上記で説明した様々な機能を処理システム１５０２に実行させる。コンピュータ可読媒体／メモリ１５０８はまた、ソフトウェアを実行するときにプロセッサ１５０６によって操作されるデータを記憶するために用いられ得る。処理システムは、モジュール１４０４、１４０６、および１４０８のうちの少なくとも１つをさらに含む。モジュールは、コンピュータ可読媒体／メモリ１５０８の中に常駐する／記憶された、プロセッサ１５０６の中で動作するソフトウェアモジュール、プロセッサ１５０６に結合された１つまたは複数のハードウェアモジュール、またはそれらの何らかの組合せであってよい。処理システム１５０２は、ＵＥ１２０の構成要素であってよく、メモリ２８２、ならびに／またはＴＸ  ＭＩＭＯプロセッサ２６６、ＲＸプロセッサ２５８、および／もしくはコントローラ／プロセッサ２８０のうちの少なくとも１つを含んでよい。
【０１３０】
[00144]いくつかの態様では、ワイヤレス通信のための装置１４０２／１４０２’は、ランダムアクセスのための時分割複信ネットワーク内の、複数のキャリアのうちの、第１のキャリアを用いてランダムアクセスチャネルを送信するための手段、および第１のキャリアとは異なる、複数のキャリアのうちの、第２のキャリアを用いて接続要求メッセージを送信するための手段などを含む。上述の手段は、上述の手段によって記載された機能を実行するように構成された装置１４０２、および／または装置１４０２’の処理システム１５０２の、上述のモジュールのうちの１つまたは複数であってよい。上記で説明したように、処理システム１５０２は、ＴＸ  ＭＩＭＯプロセッサ２６６、ＲＸプロセッサ２５８、および／またはコントローラ／プロセッサ２８０を含んでよい。したがって、一構成では、上述の手段は、上述の手段によって記載された機能を実行するように構成されたＴＸ  ＭＩＭＯプロセッサ２６６、ＲＸプロセッサ２５８、および／またはコントローラ／プロセッサ２８０であってよい。
【０１３１】
[00145]図１５は一例として提供される。他の例が可能であり、図１５に関して説明したものとは異なってよい。
【０１３２】
[00146]開示するプロセス／フローチャートにおけるブロックの特定の順序または階層が例示的な手法の例示であることを理解されたい。設計選好に基づいて、プロセス／フローチャートにおけるブロックの特定の順序または階層が並べ替えられてよいことを理解されたい。さらに、いくつかのブロックは組み合わせられてよく、または省かれてもよい。添付の方法クレームは、様々なブロックの要素を例示的な順序で提示したものであり、提示された特定の順序または階層に限定されるものではない。
【０１３３】
[00147]以上の説明は、本明細書で説明した様々な態様を当業者が実践することが可能となるように提供される。これらの態様の様々な修正が当業者には容易に明らかであり、本明細書で定義する一般原理は他の態様に適用され得る。したがって、特許請求の範囲は、本明細書で示した態様に限定されるものではなく、クレーム文言に一致する最大の範囲が与えられるべきであり、単数形での要素への言及は、そのように明記されていない限り、「唯一無二の」を意味するものではなく、「１つまたは複数の」を意味するものである。「例示的」という語は、「例、事例、または例示の働きをすること」を意味するために本明細書で使用される。「例示的」として本明細書で説明したいかなる態様も、必ずしも他の態様よりも好適または有利なものと解釈すべきではない。別段に明記されていない限り、「いくつかの」という用語は１つまたは複数を指す。「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含んでよい。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであってよく、ここで、任意のそのような組合せは、Ａ、Ｂ、またはＣのうちの１つまたは複数のメンバを含んでよい。当業者に知られているかまたは後で知られることになる、本開示全体にわたって説明した様々な態様の要素に対するすべての構造的および機能的な均等物は、参照により本明細書に明確に組み込まれ、特許請求の範囲によって包含されることを意図する。その上、本明細書で開示するいかなることも、そのような開示が特許請求の範囲に明示的に記載されているかどうかにかかわらず、公に供するものではない。いかなるクレーム要素も、その要素が「のための手段」という句を使用して明確に記載されていない限り、ミーンズプラスファンクションとして解釈されるべきではない。
【図１】
2021503774.tif 000003
【図２】
2021503774.tif 000004
【図３】
2021503774.tif 000005
【図４】
2021503774.tif 000006
【図５】
2021503774.tif 000007
【図６】
2021503774.tif 000008
【図７】
2021503774.tif 000009
【図８】
2021503774.tif 000010
【図９】
2021503774.tif 000011
【図１０】
2021503774.tif 000012
【図１１】
2021503774.tif 000013
【図１２】
2021503774.tif 000014
【図１３】
2021503774.tif 000015
【図１４】
2021503774.tif 000016
【図１５】
2021503774.tif 000017
【国際調査報告】
2021503774.tif 000018
2021503774.tif 000019